(57)【要約】【課題】マルチメディアコンテンツまたは付加価値サービスへのアクセスをスピードアップするための手段を提供する。【解決手段】データへのアクセスをスピードアップするためのシステムにおいて、電子的アイテムと対話型インターフェイスを含む無線電話通信端末であって、コンテンツを提供する対話型サーバと通信することが可能で、移動端末と対話型サーバとの間のデータの送受信が移動端末から対話型サーバへ、またはその反対への二方向で行われる移動端末から成り、無線電話網が、所定のデータを対話型サーバから移動端末に向けて配信する単方向配信センターを備え、配信センターにより伝送される所定のデータが移動端末によって識別可能な一つの識別特性を含み、移動端末が識別手段と、大容量記憶手段と、ダイレクトアクセスキーによるアクセスを許可する、あるいは許可しない認証手段とから成ることを特徴とするシステム。【選択図】図１
2007300629.tif 000002
【特許請求の範囲】
【請求項１】
マルチメディアコンテンツまたは付加価値サービスへのアクセスのいずれかから成る所定のデータへのアクセスをスピードアップするためのシステムにおいて、マイクロ回路と記憶装置（０）を備えた少なくとも一つの本質的に電子的アイテムと、少なくとも一つの画面、少なくとも一つのキーパッド、マルチメディアコンテンツおよび／または付加価値サービスへの直接アクセスを可能にする、ダイレクトアクセスキー（１３）と呼ばれる、少なくとも一つのキーおよび／または端末画面の少なくとも一つのタッチエリアを有する少なくとも一つの対話型インターフェイス（１）を含む、移動端末（Ｔ）と呼ばれる無線通信セル電話網の少なくとも一つの端末であって、対話型サーバ（Ｆ）と呼ばれる、マルチメディアコンテンツおよび／または付加価値サービスを提供する少なくとも一つの対話型サーバと、ネットワークによって識別可能な無線電話網内で、通信することが可能で、移動端末（Ｔ）と対話型サーバ（Ｆ）との間のデータの送受信が少なくとも一つの処理ノード（ＳＧＳＮ）を用いて移動端末（Ｔ）から対話型サーバ（Ｆ）へ、またはその反対への二方向で行われる移動端末（Ｔ）から成り、無線電話網が全ての移動端末（Ｔ）に共通の単方向チャンネル（ＳＭＳ−ＣＢ）を介して、所定のデータを対話型サーバ（Ｆ）から移動端末（Ｔ）に、あるいは複数個の移動端末（Ｔ）に向けて配信する単方向配信センター（ＣＢＣ）を備え、単方向配信センター（ＣＢＣ）により伝送される所定のデータが移動端末（Ｔ）によって識別可能な少なくとも一つの識別特性を含み、移動端末（Ｔ）が：
・全ての移動端末（Ｔ）に共通の単方向チャンネル（ＳＭＳ−ＣＢ）を介して単方向配信センター（ＣＢＣ）によって伝送される所定のデータを識別する識別手段と、
・識別手段によって識別された所定のデータを保存する大容量記憶手段と、
・大容量記憶手段によって保存された所定のデータの識別特性を表す情報を読み取り、この情報との関連において、この所定のデータの少なくとも一部へのダイレクトアクセスキー（１３）によるアクセスを許可する、あるいは許可しない認証手段、
とから成る、ことを特徴とするシステム。
【請求項２】
請求項１に記載のシステムにおいて、
所定のデータの配信プログラミングが単方向配信センター（ＣＢＣ）によって、または対話型サーバ（Ｆ）によって予め定義された少なくとも一つの配信規則に従って管理される、ことを特徴とするシステム。
【請求項３】
請求項２に記載のシステムにおいて、
所定のデータが対話型サーバ（Ｆ）によって定期的に更新され、単方向配信センター（ＣＢＣ）がこれらの更新された所定のデータを前回の更新から予め定義した時間間隔で配信する、ことを特徴とするシステム。
【請求項４】
請求項１から３のいずれか一つに記載のシステムにおいて、
単方向配信センター（ＣＢＣ）が少なくとも一つの予め定義した反復規則に従って同一の所定のデータの反復配信を管理する、ことを特徴とするシステム。
【請求項５】
請求項１から４のいずれか一つに記載のシステムにおいて、
全ての移動端末（Ｔ）に共通な単方向チャンネル（ＳＭＳ−ＣＢ）を介して、単方向配信センター（ＣＢＣ）によって伝送される所定のデータが下記のパラメータおよび／またはこれらのパラメータを用いた関数の結果の中から選択した一つ以上の識別特性を用いる移動端末（Ｔ）の識別手段によって識別可能である、ことを特徴とするシステム：（ａ）単方向配信センター（ＣＢＣ）によって配信された所定のデータの配信タイムスタンプ；（ｂ）単方向配信センター（ＣＢＣ）によって伝送された所定のデータのコンテンツ；（ｃ）単方向配信センター（ＣＢＣ）によって伝送された所定のデータのコンテンツのバージョン；（ｄ）無線電話網のセル（１４）の番号；（ｅ）無線電話網内の移動端末（Ｔ）の識別子。
【請求項６】
請求項１から５のいずれか一つに記載のシステムにおいて、
所定のデータの識別特性の少なくとも一部が、全ての移動端末（Ｔ）に共通の単方向チャンネル（ＳＭＳ−ＣＢ）を介して、単方向配信センター（ＣＢＣ）によって別個に伝送され、その後この同じ単方向チャンネル（ＳＭＳ−ＣＢ）を介して所定のデータが配信される、ことを特徴とするシステム。
【請求項７】
請求項１から６のいずれか一つに記載のシステムにおいて、
無線電話網が対話型サーバ（Ｆ）から移動端末（Ｔ）に向けての所定のデータの伝送方向に対して対話型サーバ（Ｆ）の下流かつ単方向配信センター（ＣＢＣ）の上流に設置された入力サーバ（ＰＰＧ）を備え、単方向配信センター（ＣＢＣ）によって配信された所定のデータが少なくとも一つの予め定義されたセグメント化規則に従って入力サーバ（ＰＰＧ）によって対話型サーバ（Ｆ）の所定のデータを事前セグメント化する間に得られた複数個の予め定義した量のメッセージで形成される、ことを特徴とするシステム。
【請求項８】
請求項７に記載のシステムにおいて、
移動端末（Ｔ）の識別手段が単方向接続セッションを全ての移動端末（Ｔ）に共通の単方向チャンネル（ＳＭＳ−ＣＢ）を介して、入力サーバ（ＰＰＧ）から移動端末（Ｔ）に向けて常時開かれたままに維持する、ことを特徴とするシステム。
【請求項９】
請求項１から８のいずれか一つに記載のシステムにおいて、
移動端末（Ｔ）が処理ノード（ＳＧＳＮ）を用いて移動端末（Ｔ）から対話型サーバ（Ｆ）に新規二方向接続を確立するために無線電話網にリクエストを送信する管理手段を備え、このリクエストは、移動端末（Ｔ）のダイレクトアクセスキー（１３）により、移動端末（Ｔ）の大容量記憶手段によって保存された所定のデータの移動端末（Ｔ）の画面上への表示と同時に送信される、ことを特徴とするシステム。
【請求項１０】
請求項１から９のいずれか一つに記載のシステムにおいて、
無線電話網と移動端末がＧＳＭ技術および／またはＵＭＴＳ技術に適合する、ことを特徴とするシステム。
【請求項１１】
請求項１から１０のいずれか一つに記載のシステムにおいて、
所定のデータが対話型サーバ（Ｆ）によって管理されるＷＡＰ型のマルチメディアポータルへの少なくとも一つのホームページを含んでいる、ことを特徴とするシステム。
【請求項１２】
請求項１に記載のシステムによって実施される、マルチメディアコンテンツまたは付加価値サービスへのアクセスのいずれかから成る所定のデータへのアクセスをスピードアップする方法において、
・移動端末（Ｔ）または複数個の移動端末（Ｔ）に、移動端末（Ｔ）によって識別可能な少なくとも一つの識別特性を含む対話型サーバ（Ｆ）の所定のデータを全ての移動端末（Ｔ）に共通な単方向チャンネル（ＳＭＳ−ＣＢ）を介して配信するための、少なくとも一つの単方向配信センター（ＣＢＣ）を介する無線電話網との対話型サーバ（Ｆ）の通信過程と、
・全ての移動端末（Ｔ）に共通の単方向チャンネル（ＳＭＳ−ＣＢ）を介して単方向配信センター（ＣＢＣ）によって伝送された所定のデータを識別するための移動端末（Ｔ）の識別手段による識別過程と、
・移動端末（Ｔ）の識別手段によって識別された所定のデータを保存するための移動端末（Ｔ）の大容量記憶手段による保存過程と、
・移動端末（Ｔ）の大容量記憶手段によって保存された所定のデータの識別特性を表す情報を読み取り、この情報との関連において、ダイレクトアクセスキー（１３）を介したこの所定のデータの少なくとも一部の使用を許可する、あるいは許可しないための移動端末（Ｔ）の認証手段による認証過程：
とから成る方法。
【請求項１３】
請求項１２に記載の方法において、
少なくとも一つの予め定義した配信規則に従って単方向配信センター（ＣＢＣ）によってまたは対話型サーバ（Ｆ）によって管理された所定のデータの配信をプログラムするためのプログラミング過程を備えている、ことを特徴とする方法。
【請求項１４】
請求項１３に記載の方法において、
・対話型サーバ（Ｆ）による所定のデータの定期的更新過程と、
・前回の配信から予め定義した時間間隔での単方向配信センター（ＣＢＣ）による、この更新した所定のデータの配信過程、
とから成る、ことを特徴とする方法。
【請求項１５】
請求項１２から１４のいずれか一つに記載の方法において、
少なくとも一つの予め定義した反復規則に従った同一の所定のデータの単方向配信センター（ＣＢＣ）による反復配信過程を備えている、ことを特徴とする方法。
【請求項１６】
請求項１２から１５のいずれか一つに記載の方法において、
単方向配信センター（ＣＢＣ）による所定のデータの配信過程には、所定のデータの識別特性の少なくとも一部を配信するための、全ての移動端末（Ｔ）に共通な単方向チャンネル（ＳＭＳ−ＣＢ）を介した、単方向配信センター（ＣＢＣ）による事前の、別個の配信過程が先行する、ことを特徴とする方法。
【請求項１７】
請求項１２から１６のいずれか一つに記載の方法において、
全ての移動端末（Ｔ）に共通な単方向チャンネル（ＳＭＳ−ＣＢ）を介した、単方向配信センター（ＣＢＣ）による所定のデータの配信過程には、対話型サーバ（Ｆ）から移動端末（Ｔ）への所定のデータの伝送方向に対して対話型サーバ（Ｆ）の下流かつ単方向配信センター（ＣＢＣ）の上流に設置された入力サーバ（ＰＰＧ）による予め定義した量の複数個のメッセージへの所定のデータの事前セグメント化過程が先行し、このセグメント化は少なくとも一つの予め定義したセグメント化規則に従って入力サーバ（ＰＰＧ）によって実施される、ことを特徴とする方法。
【請求項１８】
請求項１７に記載の方法において、
全ての移動端末（Ｔ）に共通な単方向チャンネル（ＳＭＳ−ＣＢ）を介した、移動端末（Ｔ）から入力サーバ（ＰＰＧ）への単方向接続の、移動端末（Ｔ）の識別手段による、常時開放過程を備えている、ことを特徴とする方法。
【請求項１９】
請求項１２から１８のいずれか一つに記載の方法において、
無線電話網の処理ノード（ＳＧＳＮ）を用いて移動端末（Ｔ）から対話型サーバ（Ｆ）への新規二方向接続を確立するための、無線電話網に対する移動端末（Ｔ）の管理手段によるリクエスト送信過程を備え、このリクエスト送信過程は移動端末（Ｔ）の画面上への移動端末（Ｔ）の大容量記憶手段によって保存された所定のデータの表示過程と同時に実施され、これら二つの過程が移動端末（Ｔ）上のダイレクトアクセスキー（１３）の作動によってトリガーされる、ことを特徴とする方法。
【請求項２０】
請求項１２から１９のいずれか一つに記載の方法において、
対話型サーバ（Ｆ）の所定のデータが伝送される無線電話網とこのデータを受信する移動端末（Ｔ）が、ＧＳＭ技術および／またはＵＭＴＳ技術と適合する、ことを特徴とする方法。
【請求項２１】
請求項１２から２０のいずれか一つに記載の方法において、
所定のデータが対話型サーバ（Ｆ）によって管理されるＷＡＰ型のマルチメディアポータルへの少なくとも一つのホームページを備えている、ことを特徴とする方法。
【発明の詳細な説明】
【技術分野】
【０００１】
本発明はマルチメディアコンテンツおよび／または付加価値サービスへの、移動機器によるアクセスに応用される無線通信分野に関するものである。
【０００２】
より詳細には、本発明は無線電話セル網のインフラを利用する移動無線通信端末からの、マルチメディアコンテンツまたは付加価値サービスへのアクセスのいずれかから成る所定のデータへのアクセスをスピードアップするための方法、およびこの方法を実施するためのシステムに関するものである。
【背景技術】
【０００３】
移動電話などの移動端末と呼ばれる無線通信端末技術の最近の発展により、ユーザが自己の移動電話から、無線網を介して流布している文書などのマルチメディアコンテンツにアクセスすることが可能である。前記移動電話は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＰＲＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＨＳＤＰＡ（Ｈｉｇｈ  Ｓｐｅｅｄ  Ｄｏｗｎｌｉｎｋ  Ｐａｃｋａｇｅ  Ａｃｃｅｓｓ）、ＦＯＭＡ（Ｆｒｅｅｄｏｍ  ｏｆ  Ｍｏｂｉｌｅ  Ｍｕｌｔｉｍｅｄｉａ  Ａｃｃｅｓｓ）、ＣＤＭＡ（Ｃｏｄｅ  Ｄｉｖｉｓｉｏｎ  Ｍｕｌｔｉｐｌｅｘ  Ａｃｃｅｓｓ）などの技術または類似のものに適合した無線電話セル網の既知のインフラに依存している。
【０００４】
無線網を介して流布している文書にアクセスするために、無線通信端末はモジュールおよび／または特定のアプリケーションを、例えば、モジュールおよび／またはユニバーサルプロトコールであるいわゆるＷＡＰ技術（Ｗｉｒｅｌｅｓｓ  Ａｐｐｌｉｃａｔｉｏｎ  Ｐｒｏｔｏｃｏｌ）に適合するソフトウェアアプリケーションを備えている。このプロトコールは、移動端末が付加価値サービスおよび／またはマルチメディアコンテンツに、例えばインターネットアクセスプロバイダーが提供する、例えば、インターネットサービスに、または付加価値および／またはマルチメディアコンテンツのプロバイダーが提供するＷＡＰページと呼ばれる情報ページにアクセスできる仕方を定義する。くわえて、ＷＡＰ技術はＷＭＬ（Ｗｉｒｅｌｅｓｓ  Ｍａｒｋｕｐ  Ｌａｎｇｕａｇｅ）などの言語を用いて文書を構築する仕方も定義する。
【０００５】
しかしながら、ＷＡＰ接続と呼ばれるユニバーサルプロトコールを利用して行われる接続は、この接続をセットアップするのに要する時間のためにかなり不利な条件を被っている。例えば、ＷＡＰナビゲーションを開始するために、付加価値サービスおよび／またはマルチメディアコンテンツにアクセスするためにユーザが自己の移動機器から接続する時間は３０秒から最大１分かかることがある。きわめて多数のユーザがこの時間を長すぎると考えている。退屈な待ち時間が必要なことの他に、マルチメディアコンテンツに、例えば、ユーザのインターネットアクセスプロバイダーのポータルの最初のいくつかのホームページに即時アクセスできないので、ＷＡＰナビゲーションはとりわけ急いでいるユーザの特定の需要には不適である。
【０００６】
既知の仕方で、ＷＡＰナビゲーションの開始性能を改善するための第一のアプローチはコンテンツプロバイダーによってユーザ移動端末に伝送されるデータの量を制限することをもって成る。これは不可避的にユーザに提供されるコンテンツの大幅減少となり、不十分となる。例示として、ユーザのインターネットアクセスプロバイダーのポータルの最初の数ページは関連情報をほとんど与えないので、それらは本来ユーザのニーズを、もっとも日常的ニーズさえ、満たすことができない。例えば、インターネットアクセスプロバイダーの最初のいくつかのポータルページは天候ページへのリンクを一切含んでいない。結果として、この第一のアプローチは例えば、マルチメディアコンテンツおよび／または付加価値サービスのユーザにますます大量のＷＡＰページを提供する傾向のある技術的進歩に逆行するので反生産的である。
【０００７】
ＷＡＰナビゲーションの開始性能を改善するための第二の既知のアプローチは、コンテンツプロバイダーによってユーザの移動端末に伝送されるデータの量を減らすように、コンテンツを圧縮することをもって成る。しかしながら、この解決法はいくつかの理由から満足を与えることができない。第一に、それには特殊なレイヤー（アプリケーション）の時間と費用のかかる開発が必要であり、続いてそれをネットワーク機器とユーザの移動端末の両方にインストールしなければならない。ついで、連続する圧縮と展開のステップの実施は時間がかかるので、ＷＡＰナビゲーションの開始に期待される性能利得は恣意的なものになる。くわえて、これらのステップの実施は移動端末の限られたエネルギー資源を浪費する。最後に、データ圧縮には当然限界がある。したがって、このアプローチは、例えば、マルチメディアコンテンツおよび／または付加価値サービスのユーザにますます大量のＷＡＰページを提供する傾向のある技術的進歩に従ってすぐに飽和状態に達してしまう。
【０００８】
これら最初の二つの既知のアプローチは範囲がきわめて限定されているが、それは、これらのアプローチはコンテンツの伝送段階だけに作用するが、実際にはそのコンテンツへのアクセス時間の大半は、とくにデータ伝送サービスへの登録のための、プロトコールの異なるレイヤーへのリンクを確立し、ＰＤＰセッションまたはコンテキスト（Ｐａｃｋｅｔ  Ｄａｔａ  Ｐｒｏｔｏｃｏｌ  ｃｏｎｔｅｘｔ）を開け、コンテンツのための搬送チャンネルのネゴシエーションによって消費されるからである。
【０００９】
ＷＡＰナビゲーションの開始性能を改善するための第三の既知の解決法は、無線電話網を修正することによって総合的にこの問題を解決することをもって成る。これには無線電話網の帯域を増加し、これにより、コンテンツ（またはサービス）プロバイダーとユーザの移動端末との間のデータ伝送率を増加させること可能にすることが必要である。この点に関する劇的進歩の例はＵＭＴＳ網の最近の開発で、ＧＳＭ網に比べて増加した帯域が提供される。例えば、ＵＭＴＳ適合移動端末向けのＵＭＴＳ網を介したいわゆるＳＭＳ−ＣＢチャンネル（Ｓｈｏｒｔ  Ｍｅｓｓａｇｅ  Ｓｅｒｖｉｃｅ  Ｃｅｌｌ  Ｂｒｏａｄｃａｓｔ）の速度は３２キロビット／秒に達することができるが、ＧＳＭ適合移動端末向けのＧＳＭ網を介したこの同じＳＭＳ−ＣＢチャンネルの速度はわずか１キロビット／秒に制限される。
【００１０】
第四の既知の解決法は、セル網加入者を、基本サービスへの登録と同時に、データ伝送サービスへ予め登録することをもって成る。しかしながら、この解決法には、このサービスを利用しないか、滅多に利用しないクライアントにとって、ネットワークにクライアントデータを入力し、それによってコストの高いネットワーク資源を独占するという欠点がある。
【００１１】
しかしながら、ＵＭＴＳ網の場合でも、ＷＡＰサービスへの接続時間がおよそ１０から２０秒かかり、ユーザはこれを非常に長いと感じている。ＵＭＴＳ網によって提供される通過帯域率の非常な増加に続いてコンテンツプロバイダーによって移動端末上に提供されるマルチメディアコンテンツがきわめて豊富になり、ＷＡＰナビゲーションの開始性能に達成された利得が無効になっている。例えば、インターネットアクセスプロバイダーの最初のいくつかのポータルページは現在、写真などでより豊富な情報をユーザに提供しているが、接続時間が長すぎると考えられているためにユーザからの閲覧は少ないままである。
【００１２】
コンテンツ量に関係するもう一つの問題は、例えばＵＭＴＳとＧＳＭなどの、そのそれぞれの帯域で異なる速度を提供している複数のネットワークの並行使用にある。ＵＭＴＳ網の地理的有効範囲は現在ＧＳＭ網のそれよりも小さい。結果的に、ユーザの地理的位置とこの区域内での一つ以上のネットワークの利用可能性との関係において、例えば、コンテンツおよび／または付加価値サービスへのＵＭＴＳ加入者は、例えば、同一インターネットアクセスプロバイダーの同一ポータルの最初のホームページから自分のＷＡＰナビゲーションを開始する可能性を維持しながら、一つのネットワークから他のネットワークへ（ＵＭＴＳからＧＳＭへ、あるいはその反対）の切り替えができ（あるいはユーザに透明な仕方でサービスおよび／またはコンテンツプロバイダーによって切り替えられ）なければならない。言い換えれば、インターネットアクセスプロバイダーは、ＧＳＭまたはＵＭＴＳなどの、ＷＡＰナビゲーションのために自己の加入者が使用しているネットワークとの関連において量が異なるＷＡＰホームページの作成を考えることはできない。したがって、接続のために加入者が利用する無線電話網のいかんにかかわらず、例えば、インターネットアクセスプロバイダーのＷＡＰポータルの最初のページへのＷＡＰ接続を確立するのにユーザが感じる待ち時間を短縮する課題はそのまま残っている。
【発明の開示】
【発明が解決しようとする課題】
【００１３】
したがって、本発明の目的は、無線電話セル網のインフラを利用する無線通信移動端末から、マルチメディアコンテンツまたは付加価値サービスへのアクセスのいずれかを形成する所定のデータへのアクセスをスピードアップするためのシステムを提案することによって先行技術の一つ以上の欠点を除去することにある。
【課題を解決するための手段】
【００１４】
この目的のために、本発明はマルチメディアコンテンツまたは付加価値サービスへのアクセスのいずれかを形成する所定のデータへのアクセスをスピードアップするためのシステムにおいて、マイクロ回路と記憶装置を備えた少なくとも一つの本質的に電子的アイテムと、少なくとも一つの画面、少なくとも一つのキーパッド、マルチメディアコンテンツおよび／または付加価値サービスへの直接アクセスを可能にする、ダイレクトアクセスキーと呼ばれる、少なくとも一つのキーおよび／または端末画面の少なくとも一つのタッチエリアとから成る少なくとも一つの対話型インターフェイスを含む、移動端末と呼ばれる無線セル電話通信のための少なくとも一つの端末であって、対話型サーバと呼ばれる、マルチメディアコンテンツおよび／または付加価値サービスを提供する少なくとも一つの対話型サーバと、ネットワークによって識別可能な無線電話網内で、通信することが可能で、移動端末と対話型サーバとの間のデータの送受信が二方向である、すなわち処理ノードによって移動端末から対話型サーバへ、またはその反対である移動端末から成り、無線電話網が全ての移動端末に共通の単方向チャンネルを介して、所定のデータを対話型サーバから移動端末に、あるいは複数個の移動端末に向けて配信する単方向配信センターを備え、単方向配信センターにより伝送される所定のデータが移動端末によって識別可能な少なくとも一つの識別特性を含み、移動端末が：
・全ての移動端末に共通の単方向チャンネルを介して単方向配信センターによって伝送される所定のデータを識別する識別手段と、
・識別手段によって識別された所定のデータを保存する大容量記憶手段と、
・大容量記憶手段によって保存された所定のデータの識別特性を表すデータを読み取り、このデータとの関連において、この所定のデータの少なくとも一部へのダイレクトアクセスキーによるアクセスを許可または禁止する認証手段、
とから成る、ことを特徴とするシステムに関するものである。
【００１５】
もう一つの特定の側面によれば、所定のデータの配信プログラミングは単方向配信センターによって、または対話型サーバによって予め決定された少なくとも一つの配信規則に従って管理される。
【００１６】
もう一つの特定の側面によれば、所定のデータは対話型サーバによって定期的に更新され、単方向配信センターはこれらの更新された所定のデータを前回の更新から予め定義した時間間隔で配信する。
【００１７】
もう一つの特定の側面によれば、単方向配信センターは少なくとも一つの予め定義した反復規則に従って同一の所定のデータの反復配信を管理する。
【００１８】
もう一つの特定の側面によれば、全ての移動端末に共通な単方向チャンネルを介して、単方向配信センターによって伝送される所定のデータは、下記のパラメータおよび／またはこれらのパラメータを用いた関数の結果の中から選択した一つ以上の識別特性を用いる移動端末の識別手段によって識別可能である：（ａ）単方向配信センターによって伝送された所定のデータの配信タイムスタンプ；（ｂ）単方向配信センターによって伝送された所定のデータのコンテンツ；（ｃ）単方向配信センターによって伝送された所定のデータのコンテンツのバージョン；（ｄ）無線電話網のセル番号；（ｅ）無線電話網内の移動端末の識別子。
【００１９】
もう一つの特定の側面によれば、所定のデータの識別特性の少なくとも一部は、全ての移動端末に共通の単方向チャンネルを介して、単方向配信センターによって別個に伝送され、その後この同じ単方向チャンネルを介して所定のデータが配信される。
【００２０】
もう一つの特定の側面によれば、無線電話網は、対話型サーバから移動端末に向けての所定のデータの伝送方向に対して対話型サーバの下流かつ単方向配信センターの上流に設置された入力サーバを備え、単方向配信センターによって配信された所定のデータは、少なくとも一つの予め定義したセグメント化規則に従って入力サーバによって対話型サーバの所定のデータを事前セグメント化する間に得られた複数個の予め定義した量のメッセージで形成される。
【００２１】
もう一つの特定の側面によれば、移動端末の識別手段は単方向接続セッションを全ての移動端末に共通の単方向チャンネルを介して、入力サーバから移動端末に向けて常時開かれたままに維持する。
【００２２】
もう一つの特定の側面によれば、移動端末は処理ノードを用いて移動端末から対話型サーバに新規二方向接続を確立するために無線電話網にリクエストを送信する管理手段を備え、このリクエストは、移動端末のダイレクトアクセスキーを押したときに、移動端末の大容量記憶手段によって保存された所定のデータの移動端末画面上への表示と同時に送信される。
【００２３】
もう一つの特定の側面によれば、無線電話網と移動端末はＧＳＭ技術および／またはＵＭＴＳ技術に適合する。
【００２４】
もう一つの特定の側面によれば、所定のデータは対話型サーバによって管理されるＷＡＰ型のマルチメディアポータルへの少なくとも一つのホームページを含んでいる。
【００２５】
先行技術の一つ以上の欠点を除去するために、本発明はまた、無線電話セル網のインフラを利用する移動無線通信端末からの、マルチメディアコンテンツまたは付加価値サービスへのアクセスのいずれかから成る、所定のデータへのアクセスをスピードアップする方法を定義することを意図するものである。
【００２６】
この目的のために、本発明は、本発明のシステムによって実施される、マルチメディアコンテンツまたは付加価値サービスへのアクセスのいずれかを形成する所定のデータへのアクセスをスピードアップする方法において、
・移動端末または複数個の移動端末に、移動端末によって識別可能な少なくとも一つの識別特性を含む対話型サーバの所定のデータを全ての移動端末に共通な単方向チャンネルを介して配信するための、少なくとも一つの単方向配信センターを介する無線電話網との対話型サーバの通信過程と、
・全ての移動端末に共通の単方向チャンネルを介して単方向配信センターによって伝送された所定のデータを識別するための移動端末の識別手段による識別過程と、
・移動端末の識別手段によって識別された所定のデータを保存するための移動端末の大容量記憶手段による保存過程と、
・移動端末の大容量記憶手段によって保存された所定のデータの識別特性を表す情報を読み取り、この情報との関連において、ダイレクトアクセスキーを用いるこの所定のデータの少なくとも一部の使用を許可する、あるいは許可しないための移動端末の認証手段による認証過程：
とから成ることを特徴とする方法に関するものである。
【００２７】
もう一つの特定の側面によれば、該方法は少なくとも一つの予め定義した配信規則に従って単方向配信センターによってまたは対話型サーバによって管理された所定のデータの配信をプログラムするためのプログラミング過程を備えている。
【００２８】
もう一つの特定の側面によれば、該方法は
・対話型サーバによる所定のデータの定期的更新過程と、
・前回の配信から予め定義した時間間隔での単方向配信センターによる、その更新した所定のデータの配信過程、
を備えている。
【００２９】
もう一つの特定の側面によれば、該方法は少なくとも一つの予め定義した反復規則に従った同一の所定のデータの単方向配信センターによる反復配信過程を備えている。
【００３０】
該方法のもう一つの特定の側面によれば、単方向配信センターによる所定のデータの配信過程には、所定のデータの識別特性の少なくとも一部の、全ての移動端末に共通な単方向チャンネルを介した、単方向配信センターによる事前の、別個の配信過程が先行する。
【００３１】
該方法のもう一つの特定の側面によれば、全ての移動端末に共通な単方向チャンネルを介した、単方向配信センターによる所定のデータの配信過程には、対話型サーバから移動端末への所定のデータの伝送方向に対して対話型サーバの下流かつ単方向配信センターの上流に設置された入力サーバによる予め定義した量の複数個のメッセージへの所定のデータの事前セグメント化過程が先行し、このセグメント化は少なくとも一つの予め定義したセグメント化規則に従って入力サーバによって実施される。
【００３２】
もう一つの特定の側面によれば、該方法は全ての移動端末に共通な単方向チャンネルを介した、移動端末から入力サーバへの単方向接続の、移動端末の識別手段による、常時開放過程を備えている。
【００３３】
もう一つの特定の側面によれば、該方法は無線電話網の処理ノードを用いる移動端末から対話型サーバへの新規二方向接続を確立するための、無線電話網に対する移動端末の管理手段によるリクエスト送信過程を備え、このリクエスト送信過程は移動端末の画面上への移動端末の大容量記憶手段によって保存された所定のデータの表示過程と同時に実施され、これら二つの過程は移動端末上のダイレクトアクセスキーの作動によってトリガーされる。
【００３４】
該方法のもう一つの特定の側面によれば、対話型サーバの所定のデータが伝送される無線電話網とこのデータを受信する移動端末は、ＧＳＭ技術および／またはＵＭＴＳ技術と適合する。
【００３５】
該方法のもう一つの特定の側面によれば、所定のデータは対話型サーバによって管理されるＷＡＰ型のマルチメディアポータルへの少なくとも一つのホームページを備えている。
【発明を実施するための最良の形態】
【００３６】
本発明、その特徴と利点は、付属の図面を参照して、説明を読むことによっていっそう明らかになるだろう。
図１は本発明によるシステムの一つの実施態様の模式図である。
図２は本発明によるシステムの一部のもう一つの実施態様の模式図である。
【００３７】
図１と２に非常に簡略に模式的に図示したごとく、本発明のシステムはマルチメディアコンテンツまたは付加価値サービスへのアクセスのいずれかを形成する所定のデータへのスピードアップされたアクセスを可能にし、キーパッドと画面、ならびにマイクロ回路と記憶装置を備えたいくつかの層を例えば有する少なくとも一つの本質的に電子的アイテム、すなわちいわゆるＳＩＭカード（０）（Ｓｕｂｓｃｒｉｂｅｒ  Ｉｄｅｎｔｉｔｙ  Ｍｏｄｕｌｅ）を備えた例えば、電話送受話器（１）の形の少なくとも一つの対話型インターフェイスを含む、移動端末（Ｔ）と呼ばれる少なくとも一つの無線電話通信セル端末を備えている。既知の仕方で、このカードはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる移動端末（Ｔ）を利用する加入者の識別子と加入の主たる特性を含んでいる。移動端末（Ｔ）はＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）と呼ばれる移動端末のアイデンティティによって識別される。
【００３８】
システムは例えば、ＧＳＭまたはＵＭＴＳ型などの、そのコアが図１では（１２）で示された無線電話セル網の既知のインフラを利用する。例えば、ＵＭＴＳ無線電話網について、電話送受話器（１）は、受信器に向けてデータの伝送を可能にする、あるいはセル（１４）を形成する基地局（ノードＢ）の発信器からのデータの受信を可能にする、ＵＭＴＳ型のアンテナ（Ａ１）を既知の仕方で備えている。ノードＢは無線網制御装置「ＲＮＣ」によって既知の仕方で制御されている。データ転送および／または移動端末（Ｔ）の識別を制御しているネットワークの残りの部分は図１には図示されていないが、既知の仕方で使用される。
【００３９】
既知の仕方でネットワーク手段によって識別可能な移動端末は、対話型サーバ（Ｆ）と呼ばれる、マルチメディアコンテンツおよび／または付加価値サービスを提供する少なくとも一つの対話型サーバと無線電話網内で通信することができる。既知の仕方で、移動端末（Ｔ）と対話型サーバ（Ｆ）の間のデータの送受信は二方向で実施される、すなわちセル（１４）との無線リンク内のその他の端末によって受信できない専用のデータ伝送チャンネルを介して移動端末から対話型サーバへ、またはその反対に実施される。
【００４０】
ＵＭＴＳ無線電話網に関して、移動端末（Ｔ）と対話型サーバ（Ｆ）の間のデータの二方向送受信は例えば、処理ノードと呼ばれるデータ処理ノードを用いて実施される。これは、移動端末（Ｔ）と対話型サーバ（Ｆ）の間のデータ流れのルーティングを保証しながら、データネットワークへの接続制御とネットワーク内の可動性管理を例えば保証することのできるＳＧＳＮ型（Ｓｅｒｖｉｎｇ  ＧＰＲＳ  Ｓｕｐｐｏｒｔ  Ｎｏｄｅ）の処理ノードとすることができる。したがって、移動端末（Ｔ）を有する加入者は対話型サーバ（Ｆ）によって提供されるマルチメディアコンテンツおよび／または付加価値サービスにアクセスすることができる。このことは加入者のインターネットアクセスプロバイダーに属する対話型サーバ（Ｆ）によって管理または主宰される例えば、ＷＡＰ型のマルチメディアポータルのホームページへのアクセスを必要とする。
【００４１】
マルチメディアポータルに対するこの加入者のアクセスを容易にするために、移動端末（Ｔ）とくに電話送受話器（１）はマルチメディアコンテンツおよび／または付加価値サービスにアクセスする少なくとも一つの直接手段を備えることができる。これは例えば、ダイレクトアクセスキー（１３）と呼ばれる移動端末（Ｔ）のキーパッド上のキー、および／またはマルチメディアコンテンツおよび／または付加価値サービスへのダイレクトアクセスを可能にする端末画面上のタッチエリア、および／またはスクロールメニューを介してのアクセスとすることができる。したがって、このダイレクトアクセスキー（１３）を押すか、移動端末（Ｔ）のタッチエリアに触れることによって、加入者は、処理ノードＳＧＳＮを用いて無線網制御装置（ＲＮＣ）から対話型サーバ（Ｆ）へのデータ転送を発生する、ＷＡＰ接続と呼ばれる、移動端末（Ｔ）と対話型サーバ（Ｆ）とに固有の二方向データ送受信チャンネルを例えば介して二方向無線接続をセットアップする。このデータのルーティングは図１に二重線で模式的に示されている。
【００４２】
ＳＧＳＮ処理ノードを用いる無線電話網内のＷＡＰ接続は例えば、下記の少なくとも四つの既知の過程で現在時間で進行する：
・無線電話網のセル（１４）を形成し、ネットワークのコアの中にある基地局（Ｂ）に移動端末（Ｔ）を所属させる所属過程と；
・サービスおよび／または伝送品質を取り決めるためのネゴシエーション過程と；
・無線電話網のコアと無線電話網の無線部分の間のリンクを確立する過程と；
・ＷＡＰなどの対話型サーバ（Ｆ）と移動端末（Ｔ）の間のネットワークの全長に渡ってデータパケットのルートを決めるためルーティング過程。
【００４３】
これらの過程のそれぞれはその実行にある程度の時間が必要である：ＳＧＳＮ処理ノードを用いる無線電話網内のＷＡＰ接続には数十秒の、例えば、ＵＭＴＳ網についてはおよそ１０秒から２０秒の、待機時間が必要である。
【００４４】
この時間を短縮するために、無線電話網のセルへの、およびネットワークのコアへの移動端末（Ｔ）の付着過程は、例えば、加入者識別子を入力するために、ＳＧＳＮ処理ノードでのデータ伝送サービスへの付着過程と同時に実施される。これはＳＧＳＮ処理ノード内に入った加入者の合計数に、および使用の有無を問わずデータ伝送サービスのために付与された許可に関連する費用に有意の影響がある。この実施態様は所定の非活動時間の後に、例えば、移動端末（Ｔ）と対話型サーバ（Ｆ）の間の長い非交換（例えば、３時間）の後にＳＧＳＮ処理ノードへの加入者のエントリを終了する（例えば、無線電話網レベルまたは移動端末での）脱離手段の導入を必要とする。
【００４５】
いずれにしても、ＷＡＰサービスへのアクセスページを表すデータの読込みに必要な三つの最後の過程は移動端末（Ｔ）から対話型サーバ（Ｆ）への全ての接続に必須であることに変わりはない。
【００４６】
言い換えれば、例えば、（音声、ＳＭＳ（Ｓｈｏｒｔ  Ｍｅｓｓａｇｅ  Ｓｅｒｖｉｃｅ）などの）基本サービスへの加入時の、ＳＧＳＮ処理ノードへの加入者識別子の初期入力はＷＡＰ接続を開始するときの加入者の待ち時間の確定的な短縮を保証しない。
【００４７】
観察されているように、ダイレクトアクセスキー（１３）を用いてＷＡＰ接続を開始した後に、対話型サーバ（Ｆ）によって提供されるマルチメディアコンテンツおよび／または付加価値サービスにアクセスしようとする大半の加入者は、加入者のインターネットアクセスプロバイダーによって管理および／または主宰されるＷＡＰポータルの最初のホームページから開始する。この最初のページはインターネットアクセスプロバイダーによって一日に数回更新されるが、例えば、１から２時間前後の所定の時間の間は変更されないままである。ＷＡＰポータルの最初のホームページは、他のマルチメディアコンテンツへの、例えば、二次ＷＡＰページと呼ばれる他のＷＡＰページへのアクセスを可能にする少なくとも一つのリンクアプリケーションを有する。これらは例えば、その日の天気予報、交通情報、見出しニュース、スポーツの試合結果などのさらにもう一つのマルチメディアコンテンツへのアクセスを提供するその他のリンクアプリケーションを備えたＷＡＰページである。これらの他のＷＡＰページの数（したがって、ＷＡＰポータルの最初のホームページ上のリンクアプリケーションの数）は一般的に例えば、１２個程度に制限される。これらの二次ＷＡＰページは加入者のインターネットアクセスプロバイダーによって管理および／または主宰されていても、いなくても好い。本発明の一つの変型において、これらのホームページは、例えば緊急事態においてかける番号（消防署、警察、緊急医療施設等）などの加入者が求めるマルチメディアコンテンツおよび／または付加価値サービスの少なくとも一部を提供する。本発明のもう一つの変型において、ＷＡＰページの二つの枝レベル（第一のレベルを形成するＷＡＰポータルのホームページ、第二のレベルを形成する二次ＷＡＰページ）は厳密な意味ではマルチメディアコンテンツを提供せず、加入者を所望のマルチメディアコンテンツおよび／または付加価値サービスに導くページ環境内の加入者のためのガイダンスを提供する。なお、これらの二つのＷＡＰページレベルを、例えば、ＷＡＰポータルの最初の二ページを通過できるためには、加入者は接続、伝送およびナビゲーション時間（リンクアプリケーションの活性化）を見込んで、３０秒から６０秒待たなければならないことに注意すべきである。
【００４８】
加入者のこの待ち時間を短縮するために、本発明のシステムは移動端末（Ｔ）の記憶装置に、対話型サーバから派生し移動端末に送られた、ＷＡＰポータルの最初のホームページなどを形成する所定のデータを予め読込み、他方で端末のオペレーティングシステムが例えば、ダイレクトアクセスキー（１３）によってこの所定のデータにアクセスすることを可能にすることを有利には提案する。
【００４９】
この目的のために、無線電話網は全ての移動端末に共通な単方向チャンネルを介して移動端末（Ｔ）に、あるいは複数個の移動端末に対話型サーバ（Ｆ）から所定のデータを単方向に配信するための管理センターを備えている。所定のデータを単方向に配信するためのこの管理センターは例えば、無線電話網手段と協働し、移動端末（Ｔ）または移動端末群に配信する役割を持つ少なくとも一つのセル（１４）に対話型サーバ（Ｆ）から送られた所定のデータの転送管理専用の「ＣＢＣ」センター（Ｃｅｌｌ  Ｂｒｏａｄｃａｓｔ  Ｃｅｎｔｒｅ）とすることができる。
【００５０】
さらに、ＣＢＣセンターから伝送された所定のデータは移動端末によって識別可能な少なくとも一つの識別特性を含んでいる。この点に関して、全ての移動端末に共通な単方向チャンネルを介してＣＢＣセンターによって伝送される所定のデータは下記のパラメータおよび／またはこれらのパラメータを用いる関数の結果の中から選択された一つ以上の識別特性を用いる移動端末の識別手段によって識別可能であることに注意しなければならない：（ａ）単方向配信センターによる所定のデータの配信タイムスタンプ；（ｂ）単方向配信センターによって伝送された所定のデータのコンテンツ；（ｃ）単方向配信センターによって伝送された所定のデータのコンテンツのバージョン；（ｄ）無線電話網のセル番号；（ｅ）無線電話網内の移動端末の識別子。
【００５１】
さらに、移動端末は有利には下記を含んでいる：
・全ての移動端末に共通な単方向チャンネルを介して単方向配信センターによって伝送された所定のデータを識別する識別手段。これは移動端末（Ｔ）が識別特性の状態（例えば、コンテンツのバージョン）がすでに保存されたメッセージのものと同一であるメッセージを再度聞いたり再度保存したりしないことを可能にし、それによって電力、メモリ、などを節約する。もう一つの例は、無線電話網の一つのセルから別のセルに移動し、伝送セルの番号を除いて、同一の識別子を有するメッセージを保存しようとしない移動端末（Ｔ）の例である。したがって、それぞれの端末のオペレーティングシステムは、これらの識別子の受信と分析の後に、この所定のデータを聞いたり保存したりするか否かを決定する。
・識別手段によって識別された所定のデータを保存する大容量記憶手段、
・大容量記憶手段によって保存された所定のデータの識別特性を表す情報を読み取り、この情報との関連において、この所定のデータの少なくとも一部に対するダイレクトアクセスキーによるアクセスを許可する、あるいは許可しない認証手段。
【００５２】
本発明によるシステムのもう一つの実施態様によれば、移動端末（Ｔ）は処理ノードを用いて移動端末（Ｔ）から対話型サーバ（Ｆ）に新規二方向接続を確立するために無線電話網にリクエストを送信する管理手段を備え、このリクエストは移動端末（Ｔ）上のダイレクトアクセスキー（１３）による移動端末画面上への所定のデータの表示と同時に送信される。
【００５３】
例として、例えば、毎時更新される対話型サーバ（Ｆ）のＷＡＰアクセスページの二つの枝レベルをそれぞれが形成する２０Ｋｏｃｔｅｔ（Ｋｏ）の１５ページのＷＡＰについて必要なリソースは２４００キロビット／時、すなわち０．６６キロビット／秒であることに注意しなければならない。しかしながら、ＵＭＴＳ無線電話網の場合、基地局（ノードＢ）は最大３０キロビット／秒の速度を可能にする例えばＳＭＳ−ＣＢチャンネル（Ｓｈｏｒｔ  Ｍｅｓｓａｇｅ  Ｓｅｒｖｉｃｅ  Ｃｅｌｌ  Ｂｒｏａｄｃａｓｔ）を有する。したがって、毎時１５ＷＡＰページの単位送信だけでなく、移動端末（Ｔ）によるこれらのページの保証受信を確実にする反復戦略にも備える十分な速度余裕がある。移動端末（Ｔ）による受信肯定応答不在によるＳＭＳ−ＣＢチャンネルの「ほとんど信頼できない」性質は適切なＷＡＰページの、またとくにＷＡＰポータルへの最初のホームページの利用可能性を保証するために反復戦略を必要とする。なお、ＳＭＳ−ＣＢチャンネルに固有の性質を記述するのに用いられた「ほとんど信頼できない」という用語は、技術的観点そのものからは、ＳＭＳ−ＣＢチャンネルはもちろん完全に信頼できるので、データ伝送に関連する技術的問題を反映するものではまったくない。ＳＭＳ−ＣＢチャンネルの「ほとんど信頼できない」性質は対話型サーバ（Ｆ）から移動端末（Ｔ）へのデータ伝送が単方向であるという意味に理解すべきである。この復路チャンネルの不在を考慮すると、したがって、移動端末（Ｔ）は対話型サーバに対してあるいは無線電話網の他の要素に対して対話型サーバ（Ｆ）によって送信されたデータの適切な受信を確認しない。さらに、加入者のローミングの間、その移動端末（Ｔ）は例えば、ＳＭＳ−ＣＢチャンネルを介した移動端末による信号受信が不確実な区域に位置することがある。つづいて加入者はこの不確実な受信区域を離れて、信頼できる受信区域に再度入るか、あるいはその逆を行うことがある。したがって、対話型サーバから移動端末（Ｔ）にデータを送信するための反復戦略が無いとき、移動端末によるその保証受信は、加入者がＳＭＳ−ＣＢチャンネルを介した移動端末による信号受信が不確実な区域に一時的にいるときにデータが送信された場合に、危うくなるおそれがある。
【００５４】
なお、ＷＤＰプロトコール（Ｗｉｒｅｌｅｓｓ  Ｄａｔａ  Ｐｒｏｔｏｃｏｌ）と呼ばれる例えば、ＯＭＡ標準（Ｏｐｅｎ  Ｍｏｂｉｌｅ  Ａｌｌｉａｎｃｅ）に合致する無線データ転送プロトコールの仕様は例えば、ＳＭＳ−ＣＢチャンネルを含む広範囲の搬送チャンネルに渡ってＷＡＰページ転送の備えをすることに注意しなければならない。結果的に、例として先に述べたＳＭＳ−ＣＢチャンネルの選択は全く制限するものではない。
【００５５】
ＧＳＭ無線電話網に関して、基地局（Ｂ）は１キロビット／秒程度の伝送速度を可能にするＧＳＭのためのＳＭＳ−ＣＢチャンネルを有する。したがって、この速度は、この例ではそれぞれ２０Ｋｏの１５ページから成るＷＡＰページの二つの枝レベルを更新し、反復データ送信戦略を用いるそれらの保証受信を確実にするには不十分である。しかしながら、ＧＳＭのためのＳＭＳ−ＣＢチャンネルの１キロビット／秒の速度はより少ないデータ量の、例えば、ＷＡＰポータルの最初ホームページの毎時更新の送信を容易に可能にする。
【００５６】
その故に、本発明によるシステムのもう一つの実施態様において、単方向配信センターは少なくとも一つの予め定義した反復規則に従って、例えば、毎時一回、同一の所定のデータの反復配信を管理する。
【００５７】
このアプローチは所与の移動端末（Ｔ）を識別する必要無しに例えば、無線電話網の全てのセルに渡って同じデータを配信することを有利に容易にする。別の例において、データの送信を所与のセル（１４）内に存在する端末だけに、あるいは識別子（例えば、無線電話網の管理者によって加入者に割り当てられた移動電話番号）が所定の数の数字を含む端末だけに限定することも可能である。もちろん、上述の一つまたは複数の反復送信規則はこれらのパラメータの一つ以上および／またはこれらのパラメータを用いる関数の結果を考慮に入れることもできる。これらの規則は操作員がこれらの規則を管理することを可能にする手段を備えたＣＢＣセンターによって管理される。
【００５８】
さらに、ＵＭＴＳ無線電話網の上記の例を参照して、ＣＢＣセンターは標準プロトコール、例えば、「ＳＡＢＰ」プロトコール（Ｓｅｒｖｉｃｅ  Ａｒｅａ  Ｂｒｏａｄｃａｓｔ  Ｐｒｏｔｏｃｏｌ）を実行するソフトウェア手段と機器を用いて無線網制御装置（ＲＮＣ）と対話することができる。同様に、無線網制御装置（ＲＮＣ）と移動端末（Ｔ）はＣＢＣセンターで少なくとも一つの特定の制御レイヤー、例えば、「ＢＭＣ」レイヤー（Ｂｒｏａｄｃａｓｔ  Ｍｕｌｔｉｃａｓｔ  Ｃｏｎｔｒｏｌ）を実行するソフトウェア手段と機器をそれぞれ有する。したがって、これらの手段は、少なくとも一つの予め定義した配信規則に従って、ＣＢＣセンターまたは対話型サーバ（Ｆ）が所定のデータの配信のプログラミングを管理することを可能にする。
【００５９】
もう一つの例は（例えば、新しいバージョンによってマルチメディアコンテンツの以前のバージョンを置き換えるために）例えば、定期的に対話型サーバ（Ｆ）によって更新される所定のデータに関するものである。上述の手段（ＳＡＢＰプロトコール、ＢＭＣレイヤー）は、ＣＢＣセンターが対話型サーバ（Ｆ）による所定のデータの前回の更新直後などの前回の更新から、および／またはこれらの更新された所定のデータのＣＢＣセンターによる前回の配信から例えば、予め定義した時間間隔でこれらの更新された所定のデータを配信することを可能にする。
【００６０】
ＣＢＣセンターによって操作され（［ＢＭＣ］レイヤーによってサポートされた機能のもう一つの例はメッセージを搬送する特定の仕方に関するものである。例えば、ＣＢＣセンターは対話型サーバ（Ｆ）がつぎに何を配信するかを移動端末（Ｔ）に知らせる特定のプログラミングメッセージを配信することができる。これは先にすでに述べたパラメータ、例えば、コンテンツの要約、コンテンツのバージョン、配信時間、所定のＷＡＰページの前回の更新からの時間などとすることができ、このＷＡＰページは対話型サーバ（Ｆ）などによって管理および／または主宰される。
【００６１】
本発明のもう一つの選択された実施態様によれば、プログラミングメッセージはＣＢＣセンターによって、または対話型サーバ（Ｆ）によって（例えば、所定のＷＡＰページの更新直後に）発生させることができる。後者の場合、プログラミングメッセージはＣＢＣセンターを介して遷移するが、ＣＢＣセンターによって変更されない。同様に、所定のデータ（例えば、ＷＡＰポータルの最初のホームページ）の識別特性の状態を備えたこのプログラミングメッセージは所定のデータのそれぞれの伝送と組み合わされることも、組み合わされないこともある。言い換えれば、ＣＢＣセンターは、例えば、最初にプログラミングメッセージを、そしてその後にのみ、所定のデータと共に別のメッセージを配信することができる。本発明のもう一つの変型において、プログラミングメッセージと所定のデータを備えたメッセージは融合される。
【００６２】
本発明によるシステムの作動を、とりわけ対話型サーバ（Ｆ）の主導による対話型サーバ（Ｆ）から移動端末（Ｔ）へのデータ転送のためのトリガー機構をより良く理解するために、本発明のシステムの構成を、そのアーキテクチュアを図２に模式的に示したいわゆる「ＷＡＰ  ｐｕｓｈ」モードと適合する例として引用しても良い。この図は送信開始サーバ（Ｆ＝ＰＩ）（すなわちＰｕｓｈ  Ｉｎｉｔｉａｔｏｒ）の役割を果たす対話型サーバ（Ｆ）と加入者の移動端末（Ｔ）を示している。同様に、無線電話網は入力サーバ、例えば、いわゆる「ＰＰＧ」入力サーバ（Ｐｕｓｈ  Ｐｒｏｘｙ  Ｇａｔｅｗａｙ）を備えている。該入力サーバは対話型サーバ（Ｆ＝ＰＩ）から移動端末（Ｔ）への所定のデータの伝送方向に対して対話型サーバ（Ｆ＝ＰＩ）の下流かつＣＢＣ配信センターの上流に設置される。
【００６３】
対話型サーバ（Ｆ＝ＰＩ）とＰＰＧ入力サーバの間の交換は例えば特定の「ＰＡＰ」プロトコール（Ｐｕｓｈ  Ａｃｃｅｓｓ  Ｐｒｏｔｏｃｏｌ）を実行するソフトウェアと機器手段を用いて行われる。ＰＰＧ入力サーバと移動端末（Ｔ）の間の交換は別の特定のプロトコール、例えば、「ＰＯＡＰ」プロトコール（Ｐｕｓｈ  Ｏｖｅｒ  ｔｈｅ  Ａｉｒ  Ｐｒｏｔｏｃｏｌ）を実行するソフトウェアと機器手段を用いて行われる。この目的のために、移動端末（Ｔ）と入力サーバＰＰＧの間で、ＳＭＳ−ＣＢなどの全ての移動端末に共通の単方向チャンネルを介して、移動端末（Ｔ）から入力サーバへの単方向接続セッションを開くことが必要である。本発明によるシステムの一つの実施態様において、移動端末（Ｔ）の識別手段は単方向接続セッションを常時開に維持する。ＳＭＳ−ＣＢチャンネルを介してのみの、単方向接続セッションのこの可能な常時開は、移動端末（Ｔ）が：
・送受話器が排他的に「アイドルモード」であるか、排他的に「常時オンモード」であるときに対話型サーバから派生した所定のデータを受信および／または保存し、
・送受話器が音声送受信モードであるときに、例えば、加入者の電話会話の間、対話型サーバから派生した所定のデータを受信しないおよび／または保存しない、
ことを有利に可能にする。
【００６４】
言い換えれば、単方向接続セッションの可能な常時開が、ＳＭＳ−ＣＢチャンネルを介するときだけ、移動端末（Ｔ）のさまざまな作動状態との関連において、所定のデータの受信および／または保存を可能にする。
【００６５】
ＰＰＧ入力サーバはＳＭＳ−ＣＢチャンネルのアドレス指定問題を解決する。
【００６６】
同様に、ＣＢＣセンターが配信した所定のデータは少なくとも一つの予め定義したセグメント化規則に従ったＰＰＧ入力サーバによる対話型サーバ（Ｆ）の所定のデータの事前セグメント化の間に得られた予め定義した量の複数個のメッセージで形成される。この目的のために、ＰＰＧ入力サーバはＷＡＰページをＳＭＳ型（Ｓｈｏｒｔ  Ｍｅｓｓａｇｅ  Ｓｅｒｖｉｃｅ）のショートメッセージにセグメント化するのに適した例えば、ＷＤＰプロトコールを実行するソフトウェアと機器手段を利用することができる。ＳＭＳ−ＣＢチャンネルに関しては、これはこれらのＳＭＳメッセージの搬送に用いられる。ＳＭＳメッセージの大きさは所定のオクテット数、例えば、最大１２３０オクテットに限定される。したがって、対話型サーバ（Ｆ）から派生したＷＡＰページはＰＰＧ入力サーバによって多数の対応するＳＭＳメッセージにセグメント化してから、例えば、パケットの形で、ＳＭＳ−ＣＢチャンネルを介して、移動端末（Ｔ）に転送される。
【００６７】
本発明によるシステムの一般的作動は下記のきわめて単純化した例で例示される。最初に、対話型サーバ（Ｆ＝ＰＩ）は例えば、加入者のインターネットアクセスプロバイダーによって更新されたＷＡＰポータルの所定のＷＡＰホームページを検出する。ついで対話型サーバ（Ｆ＝ＰＩ）は、例えば、ＵＭＴＳ無線電話網の全ての移動端末（Ｔ）の中で、ＣＢＣセンターを用いて、また基地局（Ｂ）のＳＭＳ−ＣＢチャンネルを介して、関係するＷＡＰページを配信（および／または更新）することをＰＰＧ入力サーバに要求する。
【００６８】
次に、入力サーバ（ＰＰＧ）はＣＢＣセンターと通信し、該ＣＢＣセンターに第一のタイムスタンプのある配信命令（Ｍ１）を伝送し、例えば、最初の命令の番号、マルチメディアコンテンツのバージョンの番号、配信セル（１４）の番号、ページ数などを明示する。ＣＢＣセンターはこの第一の配信命令（Ｍ１）を無線網制御装置ＲＮＣに伝送する。ＲＮＣは該命令を処理し、ついで例えば、全ての関連セルに送られる第二のタイムスタンプのある配信命令（Ｍ２）を発生し、この命令は第一の配信命令の一部を、例えば、第一の命令の番号、マルチメディアコンテンツのバージョンの番号、ページ数などを再現するが、例えば、セル番号を保存しない。つぎにこの第二の命令（Ｍ）は基地局（Ｂ）に伝送され、該基地局はそのＳＭＳ−ＣＢチャンネルを介して例えば、全ての移動端末（Ｔ）に所定のデータを配信する。
【００６９】
移動端末（Ｔ）はメッセージを聞くように、すなわちそれぞれの移動端末（Ｔ）の大容量記憶手段を用いてそれらを受信および／または保存するように予めプログラムされている。ＷＡＰページを形成する例えば、ＳＭＳ型のメッセージはＵＭＴＳ無線電話網の移動端末（Ｔ）のそれぞれの中に配置された、例えば、モジュラーアーキテクチュアの、特定のアプリケーションに伝送される複数個のメッセージに一緒にまとめられる。それぞれの端末について、この特定のアプリケーションは例えば、下記の主たるタスクを実行する：
・移動端末（Ｔ）の大容量記憶手段を用いてＷＡＰページを保存する、
・メモリへのアクセスを許可するか無線コンテンツ内のナビゲーションを許可するかを（例えば、保存されたページの前回更新日に従って）決定するためにＷＡＰポータルへのダイレクトアクセスキー（１３）を管理する、
・保存ページの表示が決定されたとき、例えば、ＳＧＳＮ処理ノードを用いて対話型サーバに対して二方向接続を確立する目的で、（例えば、ＳＧＳＮ処理ノードへの）データ添付手続きが開始され、それにつづいて例えば、「ＰＤＰ」プロトコール（Ｐａｃｋｅｔ  Ｄａｔａ  Ｐｒｏｔｏｃｏｌ）を用いるサービス品質の交渉が開始され、ネットワークコア（１２）とその無線部分（Ｂ）との間のリンクが確立される。
・移動端末の大容量記憶手段によって記憶された第一のホームページ内のナビゲーションの間に、直接依存ページ、例えば、第二のホームページへのアクセスは同様に先ず移動端末（Ｔ）のメモリ内で、これに失敗すると、二方向接続によってサーバに送信したメッセージによって検索される。
【００７０】
すでに先に述べたごとく、移動端末のメモリ内のこれらの予め保存されたページへのアクセスは、該当する場合未承諾メッセージの配信に関する法に留意するために、ＷＡＰポータルへの接続のための正規人―機械インターフェイス（ＭＭＩ）を介する以外不可能である。
【００７１】
利点に関しては、本発明によるシステムは加入者に少なくともＷＡＰポータルの最初のホームページへの、さらにはＷＡＰページの二つの枝レベルへにさえ近瞬時アクセスの印象を与えることができる。これは疑いもなくＷＡＰナビゲーションの開始性能を向上させ、加入者が（上記のごとく、ＷＡＰ接続に必要な３０秒くらいの間この情報を待つ必要なしに）所望のコンテンツの少なくとも一部に、例えば、緊急サービスの番号に近瞬時アクセスすることを可能にする。
【００７２】
本発明のシステムによって提供されるもう一つの利点は、ＳＧＳＮ処理ノードへのアクセスを許可された人の数を大幅に減らすことができることである。ＷＡＰセッションの開設時間において例えば、５秒の利得のために加入者を事前入力する必要は実質上なくなる。
【００７３】
最後に、本発明のシステムは標準プロトコールに基づき、したがって、特殊な開発を制限し、このことは最終的に本発明のシステムの信頼性を向上させ、電算機バグに対してそれをもっと安定させる。
【００７４】
当業者には自明のごとく、本発明は、本発明の請求の範囲を逸脱することなくして数多くの他の特定の形で実施態様が可能である。したがって、本実施態様は例示とみなされるべきものであるが、付属の請求の範囲に定義された領域内で変更が可能であり、また本発明は上述の詳細に限定されるものではない。
【図面の簡単な説明】
【００７５】
【図１】本発明によるシステムの一つの実施態様の模式図
【図２】本発明によるシステムの一部のもう一つの実施態様の模式図
【符号の説明】
【００７６】
１２  ネットワークコア
１３  ダイレクトアクセスキー
１４  セル
【図１】
2007300629.tif 000003
【図２】
2007300629.tif 000004
【外国語明細書】
METHOD AND SYSTEM FOR ACCELERATING ACCESS TO A CONTENT FROM A MOBILE TERMINAL
TECHNICAL AREA OF THE INVENTION
The present invention pertains to the area of telecommunications applied to the access, by mobile equipment, to a multimedia content and/or a value added service.
More particularly, the invention relates to a method for accelerating access to predetermined data consisting either of a multimedia content or of access to a value added service, from a mobile wireless communications terminal using the infrastructure of a wireless telephone cell network, and to a system for implementing this method.
TECHNOLOGICAL BACKGROUND OF THE INVENTION
Recent developments in technologies for wireless communication terminals, called mobile terminals e.g. mobile telephones, enable users to access a multimedia content e.g. documents circulating via wireless networks, from their mobile telephone. Said mobile phone relies on a known infrastructure of a wireless telephone cell network compatible with technology such as GSM (for Global System for Mobile communications), GPRS (for General Packet Radio Service), UMTS (for Universal Mobile Telecommunications System), OFDM (for Orthogonal Frequency Division Multiplexing), HSDPA (for High Speed Downlink Package Access), FOMA (for Freedom of Mobile Multimedia Access), CDMA (for Code Division Multiplex Access) or similar.
To access documents circulating via wireless networks, the wireless communication terminals are equipped with modules and/or specific applications, e.g. modules and/or software applications compatible with so called WAP technology (for Wireless Application Protocol), a universal protocol. This protocol defines the manner in which mobile terminals can access a value added service and/or a multimedia content, e.g. an Internet service, or an information page called a WAP page provided by a provider of the value added and/or multimedia content, e.g. provided by an Internet access provider. In addition, WAP technology also defines the manner in which documents must be structured using a language such as WML (for Wireless Markup Language).
A connection made using the universal protocol, called a WAP connection, suffers a considerable handicap however due to the time required to set up this connection. The connection time for users, from their mobile equipment, to access a value added service and/or a multimedia content, for example to launch WAP navigation, can take from thirty seconds up to one minute. This period is considered to be excessively long by a high number of users. Aside from the tiresome waiting involved, the impossible immediate access to a multimedia content, for example to the first home pages of the portal of the user's Internet access provider, makes WAP navigation unsuitable for the specific needs of a user who inter alia is in a hurry.
In known manner, a first approach to improve the launch performance of a WAP navigation consists of limiting the volume of data to be transmitted by the content provider to the user's mobile terminal. This inevitably causes notable downsizing of the content provided to the user, which is unsatisfactory. By way of illustration, the first pages of the portal of the user's Internet access provider give so little relevant information that a prioiri they cannot meet the needs, even the most routine needs, of users. For example, the first portal pages of the Internet access provider do not contain any links to weather pages. As a result, this first approach is counter productive since it goes against technical progress which tends to offer increasingly voluminous WAP pages for example to users of the multimedia content and/or value added service.
A second known approach to improve the launch performance of a WAP navigation consists of compressing the content, so as to reduce the volume of data to be transmitted by the content provider to the user's mobile terminal. However this solution does not give satisfaction for several reasons. First, it requires lengthy and costly developments of specific layers (applications) which must subsequently be installed both in the network equipment and in the mobile terminals of users. Then, execution of the successive compression and decompression steps is time consuming so that the expected performance gains on launch of WAP navigation become arbitrary. In addition, the execution of these steps wastes the limited energy resources of the mobile terminals. Finally, the compression of data naturally has limits. This approach therefore rapidly arrives at saturation subsequent to technical progress which tends for example to offer users of the multimedia content and/or value added service increasingly voluminous WAP pages.
These first two known approaches are significantly limited in scope since they only act on the transmission phase of the content, whereas most of the access time to this content is consumed by setting up the link on the different layers of the protocol, in particular for subscription to the data transmission service, opening of the PDP session or context (Packet Data Protocol context), and negotiation of the conveying channel for the content.
A third known solution for improving WAP navigation launch performance consists of solving this problem globally by modifying the wireless telephone networks. This entails increasing a bandwidth of the wireless telephone networks and hence making it possible to increase the data transmission rate between the content (or service) provider and the user's mobile terminal. Spectacular progress in this respect can be illustrated by the recent development of the UMTS network, which offers an increased bandwidth compared to the GSM network. For example, the rate of the so called SMS CB channel (for Short Message Service Cell Broadcast) via the UMTS network towards a UMTS compatible mobile terminal, can reach up to 32 Kbits/second, while the rate of this same SMS CB channel via the GSM network towards a GSM compatible mobile terminal is restricted to only 1 Kbits/second.
A fourth known solution consists of pre subscribing the cell network subscribers to the data transmission service simultaneously with subscription to the basic services. This solution nonetheless has the drawback of entering client data into the network, for clients who do not use or only scarcely use this service, thereby monopolizing costly network resources.
However, even for the UMTS network, the connection time to a WAP service takes approximately 10 to 20 seconds, which is perceived to be very long for a user. The extraordinary increase in pass band rate offered by the UMTS network has been followed by a considerable enrichment of the multimedia content offered by a content provider on a mobile terminal, cancelling out the gains achieved in WAP navigation launch performance. For example, the first portal pages of the Internet access provider now give users much richer information with photos for example, but they remain little consulted by users on account of the connection time considered to be excessive.
Another problem related to content volume lies in the parallel use of several networks, e.g. UMTS and GSM, offering different rates via their respective bandwidths. The land coverage of the UMTS network at the present time is smaller than that of the GSM network. Consequently, in relation to users' geographical position and to availability in this area of one or more networks, UMTS subscribers for example to a content and/or value added service, must be able to switch over (or be switched over by the service and/or content provider in a manner transparent to the user), from one network to the other (from UMTS to GSM or vice versa) whilst maintaining the possibility for example to launch their WAP navigation from the first home page of the same portal of the same Internet access provider. In other words, it cannot be contemplated by an Internet access provider to produce WAP home pages of different volume in relation to the network used by its subscribers for WAP navigation, e.g. GSM or UMTS. Therefore the challenge of reducing the waiting time perceived by users to set up a WAP connection, for example with the first page of the WAP portal of the internet access provider, irrespective of the wireless telephone network used by a subscriber for this connection, fully remains.
GENERAL DESCRIPTION OF THE INVENTION
The subject of the present invention is therefore to eliminate one or more disadvantages of the prior art by proposing a system to accelerate access to predetermined data forming either a multimedia content or access to a value added service, from a wireless communication mobile terminal using the infrastructure of a wireless telephone cell network.
For this purpose, the invention concerns a system for accelerating access to predetermined data forming either a multimedia content or access to a value added service, comprising at least one terminal for wireless cell telephone communication, called a mobile terminal, containing at least one essentially electronic item with microcircuit and memory, and at least one interactive interface comprising at least one screen, at least one keypad, at least one key and/or at least one tactile area of the terminal screen, called a direct access key, enabling direct access to the multimedia content and/or value added service, the mobile terminal being able to communicate, within a wireless telephone network identifiable by means of the network, with at least one interactive server providing the multimedia content and/or value added service, called an interactive server, the transmitting and receiving of data between the mobile terminal and the interactive server being two way i.e. from the mobile terminal towards the interactive server and vice versa by means of a processing node, characterized in that the wireless telephone network comprises a unidirectional broadcast centre broadcasting predetermined data from the interactive server towards the mobile terminal or a plurality of mobile terminals, via a unidirectional channel common to all the mobile terminals, in that the predetermined data transmitted by the unidirectional broadcast centre contain at least one identification characteristic identifiable by means of the mobile terminal, and in that the mobile terminal comprises:
-   identification means to identify the predetermined data transmitted by the unidirectional broadcast centre via the unidirectional channel common to all the mobile terminals,
-   mass memory means to save the predetermined data identified by the identification means,
-   authorization means to read data representing the identification characteristic of the predetermined data saved by the mass memory means and, in relation to this data, to allow or prohibit access by the direct access key to at least part of this predetermined data.
According to another particular aspect, the broadcast programming of predetermined data is managed in accordance with at least one broadcasting rule predetermined by the unidirectional broadcast centre or by the interactive server.
According to another particular aspect, the predetermined data are periodically updated by the interactive server, and the unidirectional broadcast centre broadcasts these updated predetermined data at the time interval predefined since the last update.
According to another particular aspect, the unidirectional broadcast centre manages a repeat broadcast of identical predetermined data according to at least one predefined repeat rule.
According to another particular aspect, the predetermined data transmitted by the unidirectional broadcast centre, via the unidirectional channel common to all the mobile terminals, are identifiable by the identification means of the mobile terminal using one or more identification characteristics chosen from among the following parameters and/or the result of a function using these parameters : (a) broadcasting timestamp of the predetermined data transmitted by the unidirectional broadcast centre ; (b) content of the predetermined data transmitted by the unidirectional broadcast centre; (c) content version of the predetermined data transmitted by the unidirectional broadcast centre ; (d) cell number of the wireless telephone network ; (e) identifier of the mobile terminal in the wireless telephone network.
According to another particular aspect, at least part of the identification characteristics of the predetermined data is transmitted separately, via the unidirectional channel common to all the mobile terminals, by the unidirectional broadcast centre prior to the broadcasting of the predetermined data via this same unidirectional channel.
According to another particular aspect, the wireless telephone network comprises an input server installed downstream of the interactive server and upstream of the unidirectional broadcast centre with respect to the direction of transmission of the predetermined data, from the interactive server towards the mobile terminal, and the predetermined data broadcast by the unidirectional broadcast centre are formed of a plurality of messages of predefined volume, obtained during prior segmenting of the predetermined data of the interactive server by the input server in accordance with at least one predefined segmenting rule.
According to another particular aspect, the identification means of the mobile terminal maintain a unidirectional connection session permanently open from the input server to the mobile terminal, via the unidirectional channel common to all the mobile terminals.
According to another particular aspect, the mobile terminal comprises management means to send a request to the wireless telephone network to set up a new two way connection from the mobile terminal to the interactive server using the processing node, this request being sent simultaneously with display on the mobile terminal screen of the predetermined data saved by the mass memory means, when pressing the direct access key of the mobile terminal.
According to another particular aspect, the wireless telephone network and the mobile terminal are compatible with GSM technology and/or UMTS technology.
According to another particular aspect, the predetermined data comprise at least one home page to a multimedia portal of WAP type managed by the interactive server.
To eliminate one or more disadvantages of the prior art, the invention also sets out to define a method for accelerating access to predetermined data, consisting either of a multimedia content or access to a value added service, from a mobile communications terminal using an infrastructure of a wireless telephone cell network.
For this purpose, the invention concerns a method for accelerating access to predetermined data forming either a multimedia content or access to a value added service, implemented by the system of the invention,
characterized in that it comprises :
-   a communication step of the interactive server with the wireless telephone network via at least one unidirectional broadcast centre to broadcast, via a unidirectional channel common to all the mobile terminals, the predetermined data of the interactive server to the mobile terminal or a plurality of mobile terminals, this predetermined data comprising at least one identification characteristic identifiable by means of the mobile terminal,
-   an identification step by identification means of the mobile terminal to identify the predetermined data transmitted by the unidirectional broadcast centre via the unidirectional channel common to all the mobile terminals,
-   a saving step by mass memory means of the mobile terminal to save the predetermined data identified by the identification means of the mobile terminal,
-   an authorization step by authorization means of the mobile terminal to read information representing the identification characteristic of the predetermined data saved by the mass memory means of the mobile terminal and, in relation to this information, to authorize or not authorize use of at least part of this predetermined data by using the direct access key.
According to another particular aspect, the method comprises a programming step to program broadcasting of the predetermined data, managed by the unidirectional broadcast centre or by the interactive server in accordance with at least one predefined broadcasting rule.
According to another particular aspect, the method comprises :
-   a periodical updating step of the predetermined data by the interactive server, and
-   a broadcasting step of this updated predetermined data, by the unidirectional broadcast centre at the time interval predefined since the last broadcasting.
According to another particular aspect, the method comprises a repeat broadcast step by the unidirectional broadcast centre of identical predetermined data in accordance with at least one predefined repeat rule.
According to another particular aspect of the method, the broadcasting step of the predetermined data by the unidirectional broadcast centre is preceded by a prior, separate broadcasting step by the unidirectional broadcast centre, via the channel common to all the mobile terminals, of at least part of the identification characteristics of the predetermined data.
According to another particular aspect of the method, the broadcasting step of the predetermined data by the unidirectional broadcast centre, via the unidirectional channel common to all the mobile terminals, is preceded by a prior segmenting step of the predetermined data into a plurality of messages of predefined volume by an input server installed downstream of the interactive server and upstream of the unidirectional broadcast centre with respect to the direction of transmission of the predetermined data from the interactive server to the mobile terminal, this segmenting being conducted by the input server in accordance with at least one predefined segmenting rule.
According to another particular aspect, the method comprises a permanent opening step, by the identification means of the mobile terminal, of a unidirectional connection to the input server from the mobile terminal, via the unidirectional channel common to all the mobile terminals.
According to another particular aspect, the method comprises a request sending step by management means of the mobile terminal to the wireless telephone network, to set up a new two way connection from the mobile terminal to the interactive server using the processing node of the wireless telephone network, this request sending step being conducted simultaneously with a display step of the predetermined data saved by the mass memory means of the mobile terminal on the screen of the mobile terminal, these two steps being triggered by actuation of the direct access key on the mobile terminal.
According to another particular aspect of the method, the wireless telephone network through which the predetermined data of the interactive server are transmitted, and the mobile terminal receiving this data, are compatible with GSM technology and/or UMTS technology.
According to another particular aspect of the method, the predetermined data comprise at least one home page to a multimedia portal of WAP type managed by the interactive server.
The invention, with its characteristics and advantages, will become more clearly apparent on reading the description made with reference to the appended drawings in which :
figure 1 is a schematic of one embodiment of the system according to the invention,
figure 2 is a schematic of another embodiment of part of the system according to the invention.
DESCRIPTION OF PREFERRED EMBODIMENTS OF THE INVENTION
Such as schematically illustrated in most simplified manner figures 1 and 2, the system of the invention allows accelerated access to predetermined data forming either a multimedia content or access to a value added service, and comprises at least one wireless telephone communication cell terminal, called a mobile terminal (T), containing at least one interactive interface, in the form of a telephone handset (1) for example provided with a keypad and screen, and with at least one essentially electronic item for example having several layers with a microcircuit and a memory, namely a so called SIM card (0) (for Subscriber Identity Module). In known manner, this card contains the identifier of the subscriber using the mobile terminal (T), called IMSI (for International Mobile Subscriber Identity), and the main characteristics of the subscription. The mobile terminal (T) will be identified by the identity of the mobile terminal, called IMEI (for International Mobile Equipment Identity).
The system uses a known infrastructure of a wireless telephone cell network, e.g. of GSM or UMTS type, and whose core is referenced (12) in figure 1. With reference for example to a UMTS wireless telephone network, the telephone handset (1) is provided in known manner with an antenna (A1) of UMTS type allowing transmission of data towards receivers or receiving of data from the transmitter of the base station (Node B) forming a cell (14). The latter are controlled in known manner by a Radio Network Controller   RNC  . The remainder of the network controlling the transfer of data and/or identification of the mobile terminal (T) is not shown figure 1 but is used in known manner.
In known manner the mobile terminal, identifiable by the network means, is able to communicate within a wireless telephone network with at least one interactive server providing the multimedia content and/or value added service, called the interactive server (F). In known manner, the transmitting and receiving of data between the mobile terminal (T) and the interactive server (F) is conducted two way fashion i.e. from the mobile terminal to the interactive server and vice versa via a dedicated data transmission channel which cannot be received by other terminals in radio link with the cell (14).
With reference to the UMTS wireless telephone network, the two way transmitting and receiving of data between the mobile terminal (T) and the interactive server (F) is conducted for example using a data processing node, called a processing node. This may be a processing node of SGSN type (for Serving GPRS Support Node) which can for example ensure control of the connection to the data network and management of mobility within the network, whilst ensuring the routing of data flows between the mobile terminal (T) and the interactive server (F). Therefore a subscriber having the mobile terminal (T) can access the multimedia content and/or value added service provided by the interactive server (F). This may entail access to a home page of a multimedia portal of WAP type for example managed and/or hosted by the interactive server (F) belonging to the Internet access provider of the subscriber.
To facilitate this subscriber access to the multimedia portal, the mobile terminal (T), and in particular the telephone handset (1), may comprise at least one direct means of access to the multimedia content and/or value added service. This may be a key on the keypad of the mobile terminal (T) for example, called a direct access key (13), and/or a tactile area on the terminal screen giving direct access to the multimedia content and/or value added service and/or an access via a scroll menu. Therefore, by pressing on this direct access key (13) or by touching the tactile area of the mobile terminal (T), the subscriber sets up a two way wireless connection for example via a two way data transmission and receiving channel particular to the mobile terminal (T) and to the interactive server (F), called a WAP connection, which generates the transfer of data from the radio network controller (RNC) to the interactive server (F) by means of the processing node SGSN. This routing of the data is schematically shown by the double line in figure 1.
The WAP connection in a wireless telephone network using a SGSN processing node, proceeds at the current time in at least four known steps, for example:
-   an attachment step attaching the mobile terminal (T) to the base station (B) forming the cell (14) of the wireless telephone network, and in the core of the network :
-   a negotiation step to negotiate the service and/or transmission quality;
-   a step setting up a link between the core of the wireless telephone network and the wireless part of the telephone network;
-   a routing step to rout data packets over the entire length of the network between the interactive server (F), e.g. WAP, and the mobile terminal (T).
Each of these steps requires a certain time for its execution: the WAP connection in the wireless telephone network using the SGSN processing node requires a waiting time of a few dozen seconds, e.g. approximately 10 s to 20 s for the UMTS network.
To reduce this time, the attachment step of the mobile terminal (T) to a cell of the wireless telephone network and to the core of the network is conducted simultaneously with an attachment step to the data transmission service at the SGSN processing node, to enter the subscriber identifiers for example. This has a significant impact on the total number of entered subscribers in the SGSN processing node, and on the cost associated with licences granted for the data transmission service whether or not it is used. This embodiment requires the implementation of detachment means (e.g. at the wireless telephone network level or the mobile terminal) which terminates the entry of the subscriber with the SGSN processing node after a predetermined period of inactivity, for example after extended non exchanging (e.g. for 3 hours) between the mobile terminal (T) and the interactive server (F).
At all events, the three last steps necessary for loading data representing the access pages to WAP services, remain indispensable for all connections to the interactive server (F) from the mobile terminal (T).
In other words, an initial entry of the subscriber identifiers with the SGSN processing node, for example at the time of subscription to basic services (voice, SMS (Short Message Service), etc.) does not ensure a definite reduction in the waiting time for the subscriber when launching WAP connections.
It has been observed that most subscribers wishing to access a multimedia content and/or value added service provided by the interactive server (F), after launching a WAP connection using the direct access key (13), start with the first home page of the WAP portal managed and/or hosted by the subscriber's Internet access provider. This first page is updated by the Internet access provider several times a day, but remains unchanged over predetermined periods e.g. around 1 to 2 hours. The first home page of the WAP portal has at least one link application allowing access to another multimedia content e.g. to other WAP pages called secondary WAP pages. These are WAP pages for example with other link applications giving access to yet another multimedia content e.g. the day's weather forecast, traffic news, headline news, results of sports events etc. The number of these other WAP pages (and hence of the link applications on the first home page of the WAP portal) is generally limited to one dozen for example. These secondary WAP pages may or may not be managed and/or hosted by the subscriber's Internet access provider. In one variant of the invention, these home pages provide at least part of the multimedia content and/or value added service sought by the subscriber, for example the numbers to be called for emergency situations (fire brigade, police, emergency medical unit, etc.). In another variant of the invention, the two arborescence levels of the WAP pages (home page of the WAP portal forming the first level, secondary WAP pages forming the second level) do not in the strict sense provide the multimedia content, but provide guidance for the subscriber in the page environment, directing the subscriber to the desired multimedia content and/or value added service. It will be noted, that in order to be able to pass through these two WAP page levels, for example the two first home pages of the WAP portal, the subscriber must wait between 30 s and 60 s, taking into account connection, transmission and navigation times (activation of link applications).
To reduce this waiting time for the subscriber, the system of the invention advantageously proposes pre loading predetermined data forming for example the first home pages of a WAP portal, derived from the interactive server and sent to the mobile terminal, to the memory of the mobile terminal mobile (T), while allowing the terminal's operating system to access this predetermined data by means of the direct access key (13) for example.
For this purpose, the wireless telephone network comprises a management centre for the unidirectional broadcasting of predetermined data from the interactive server (F) to the mobile terminal (T) or a plurality of mobile terminals, via a unidirectional channel common to all the mobile terminals. This management centre for the unidirectional broadcasting of predetermined data may for example be a   CBC   centre (for Cell Broadcast Centre) cooperating with the means of the wireless telephone network and dedicated to managing the transfer of predetermined data sent from the interactive server (F) to at least one cell (14) in charge of broadcasting to the mobile terminal (T) or a group of mobile terminals.
Also, the predetermined data transmitted by the CBC centre contain at least one identification characteristic identifiable by means of the mobile terminal. In this respect it is to be noted that the predetermined data transmitted by the CBC centre, via the unidirectional channel common to all the mobile terminals, are identifiable by the identification means of the mobile terminal using one or more identification characteristics chosen from among the following parameters and/or the result of a function using these parameters: (a) broadcast timestamp of the predetermined data by the unidirectional broadcast centre; (b) content of the predetermined data transmitted by the unidirectional broadcast centre; (c) content version of the predetermined data transmitted by the unidirectional broadcast centre; (d) cell number of the wireless telephone network; (e) identifier of the mobile terminal in the wireless telephone network.
Also, the mobile terminal advantageously comprises:
-   identification means to identify the predetermined data transmitted by the unidirectional broadcast centre via the unidirectional channel common to all the mobile terminals. This enables the terminal mobile (T) not to re listen to or re save messages whose status of the identification characteristic (e.g. the content version) is identical to that of the messages already saved, thereby saving energy, memory etc. Another example is that of a mobile terminal (T) moving from one cell of the wireless telephone network to another, which will not seek to save a message having an identical identifier, with the exception of the number of the transmitting cell. Therefore the operating system of each terminal will take the decision, after receipt and analysis of these identifiers, whether or not to listen to and save this predetermined data.
-   mass memory means to save the predetermined data identified by the identification means,
-   authorization means to read the information representing the identification characteristic of the predetermined data saved by the mass memory means and, in relation to this information, to authorize or not authorize access by the direct access key to at least part of this predetermined data.
In another embodiment of the system according to the invention, the mobile terminal (T) comprises management means to send a request to the wireless telephone network to set up a new two way connection from the mobile terminal (T) to the interactive server (F) using the processing node, this request being sent simultaneously with display of the predetermined data on the screen of the mobile terminal by means of the direct access key (13) on the mobile terminal (T).
By way of illustration, it is to be noted for example that for 15 WAP pages of 20 Koctets (Ko), each forming the two arborescence levels of the WAP access pages of the interactive server (F) to be updated every hour, the resource needed is 2400 Kbits/hour, i.e. 0.66 Kbits/second. However, for the UMTS wireless telephone network, the base station (Node B) has a SMC CB channel for example (Short Message Service Cell Broadcast) allowing a rate of up to 30 Kbits/second. There is therefore a sufficient rate margin to make provision not only for the unit sending of the 15 WAP pages every hour, but also for repeat strategies ensuring guaranteed receipt of these pages by the mobile terminal (T). The   scarcely reliable   nature of the SMS CB channel due to the absence of acknowledgement of receipt by the mobile terminal (T) requires a repeat strategy so as to ensure availability of adequate WAP pages, and in particular of the first home page to the WAP portal. It is specified that the term   scarcely reliable  , used to describe the particular nature of the SMS CB channel, does not in any way translate any technical problem related to data transmission, since from a technical viewpoint as such the SMS CB channel is evidently fully reliable. The   scarcely reliable   nature of the SMS CB channel is to be understood in the meaning that the transmission of data from the interactive server (F) to the mobile terminal (T) is unidirectional. Having regard to this absence of a return channel, the mobile terminal (T) does not therefore confirm proper receipt of the data sent by the interactive server (F) either to it or to another element of the wireless telephone network. Yet, during roaming of the subscriber, its mobile terminal (T) may for example come to be located in an area in which reception of the signal by the mobile terminal via the SMS CB channel is uncertain. The subscriber may then leave this uncertain reception area and re enter an area of reliable reception and vice versa. Therefore, in the absence of repeat strategies to send data from the interactive server to the mobile terminal (T), the guaranteed reception thereof by the mobile terminal risks being compromised if it is sent when the subscriber is momentarily in the area in which reception of the signal by the mobile terminal via the SMS CB channel is uncertain.
It is to be noted that the specifications of the wireless data transfer protocol, meeting OMA standards for example (for Open Mobile Alliance), called the WDP protocol (for Wireless Data Protocol), make provision for the transfer of WAP pages for example over a wide variety of carrier channels including the SMS CB channel. Consequently, the choice of the SMS CB channel mentioned above by way of illustration is in no way limiting.
Regarding the GSM wireless telephone network, the base station (B) has the SMS CB channel for GSM allowing a transmission rate in the order of 1 Kbits/second. This rate is therefore not sufficient to update the two arborescence levels of the WAP pages consisting of 15 pages of 20 Ko each in the present example, and to ensure their guaranteed reception using repeat data sending strategies. However, a rate of 1 Kbits/second of the SMS CB channel for GSM easily allows sending of the update every hour of a lesser data volume, e.g. the first home page of the WAP portal.
This is why, in another embodiment of the system according to the invention, the unidirectional broadcast centre manages a repeat broadcasting of identical predetermined data in accordance with at least one predefined repeat rule, e.g. once every hour.
This approach advantageously facilitates the broadcasting of the same data over all the cells of the wireless telephone network for example without having to identify the given mobile terminal (T). In another example, it is possible to limit the sending of data solely to those terminals present in a given cell (14) or to those terminals whose identifier (e.g. the mobile telephone number allocated to the subscriber by the manager of the wireless telephone network) comprises a predetermined number of figures etc. Evidently, the repeat rule or rules mentioned above may also take into account one or more of these parameters and/or the result of a function using these parameters. These rules are managed by the CBC centre which comprises the means enabling the operator to manage these rules.
With further reference to the above example of the UMTS wireless telephone network, the CBC centre is able to dialogue with the radio network controller (RNC) using software means and equipment implementing a standardized protocol, e.g. the   SABP   protocol (for Service Area Broadcast Protocol). Similarly, the radio network controller (RNC) and the mobile terminal (T) each have software means and equipment implementing at least one specific control layer at the CBC centre, e.g. the   BMC   layer (for Broadcast Multicast Control). These means therefore enable the CBC centre or the interactive server (F), in accordance with at least one predefined broadcasting rule, to manage programming of the broadcasting of the predetermined data.
Another example concerns the predetermined data which are updated by the interactive server (F), e.g. periodically (to replace a former version of the multimedia content by its new version for example). The means mentioned above (SABP protocol, BMC layer) enable the CBC centre to broadcast these updated predetermined data, for example at the time interval predefined since the last update, e.g. immediately after the last update of the predetermined data by the interactive server (F), and/or since the last broadcasting by the CBC centre of these updated predetermined data.
Another illustration of the functions operated by the CBC centre (and supported by the [BMC] layer) concerns the specific manner for conveying messages. For example, the CBC centre can broadcast a specific programming message indicating to the mobile terminals (T) what the interactive server (F) will subsequently broadcast. This may be the parameters already mentioned above such as summary of content, version of content, broadcasting time, time since the last update of a predetermined WAP, this WAP page being managed and/or hosted by the interactive server (F), etc.
According to another chosen embodiment of the invention, the programming message can be generated either by the CBC centre, or by the interactive server (F) (e.g. immediately after the updating of the predetermined WAP page). In this latter case, the programming message transits via the CBC centre but is not modified by it. Similarly, this programming message with the status of the identification characteristics of the predetermined data (for example the first home page of the WAP portal) may or may not be associated with each transmission of predetermined data.) In other words, the CBC centre may, for example, broadcast firstly the programming message and then only afterwards another message with the predetermined data. In another variant of the invention, the programming message and the message with the predetermined data are merged.
For a better understanding of the functioning of the system according to the invention, and in particular of the trigger mechanism for data transfer from the interactive server (F) to the mobile terminal (T) on the initiative of the interactive server (F), a configuration of the system of the invention may be cited as example which is compatible with the so called   WAP push   mode, whose architecture is schematically illustrated figure 2. This figure shows the interactive server (F) acting as a send initiating server (F=PI) (i.e. a Push Initiator) and the mobile terminal (T) of the subscriber. Similarly, the wireless telephone network comprises an input server, e.g. a so called   PPG   server (for Push Proxy Gateway). It is installed downstream of the interactive server (F=PI) and upstream of the CBC broadcast centre with respect to the direction of transmission of the predetermined data from the interactive server (F=PI) to the mobile terminal (T).
The exchange between the interactive server (F=PI) and PPG input server is made using software and equipment means implementing for example a specific   PAP   protocol (for Push Access Protocol). The exchange between the PPG input server and the mobile terminal is made with software and equipment means implementing another specific protocol, for example the   POAP   protocol (for Push Over the Air Protocol). For this purpose, the opening of a unidirectional connection session at the input server of the mobile terminal (T) is needed, via the unidirectional channel common to all the mobile terminals, e.g. SMS CB, between the mobile terminal (T) and the input server PPG. In one embodiment of the system according to the invention, the identification means of the mobile terminal (T) maintain the unidirectional connection session permanently open. This possible permanent opening of the unidirectional connection session solely via the SMS CB channel advantageously enables the mobile terminal (T):
-   to receive and/or save predetermined data derived from the interactive server when the handset is exclusively in   idle mode   or exclusively in   always on mode  ),
-   not to receive and/or not to save the predetermined data derived from the interactive server when the handset is in voice transmitting/receiving mode, for example during a telephone conversation of the subscriber.
In other words, the possible permanent opening of the unidirectional connection session, but solely via the SMS CB channel, allows the receiving and/or saving of predetermined data in relation to different functioning statuses of the mobile terminal (T).
The PPG input server solves the addressing issues for the SMS CB channel.
Similarly, the predetermined data broadcast by the CBC centre are formed of a plurality of messages of predefined volume, obtained during prior segmenting of the predetermined data of the interactive server (F) by the PPG input server in accordance with at least one predefined segmenting rule. For this purpose, the PPG input server can use the software and equipment means implementing the WDP protocol for example, which is suitable for segmenting WAP pages into short messages of SMS type (Short Message Service). Regarding the SMS CB channel, this is used to convey these SMS messages. The size of an SMS message is limited to predetermined number of octets, e.g. a maximum of 1230 octets. Therefore the WAP pages derived from the interactive server (F) are segmented by the PPG input server into a number of corresponding SMS messages before their transfer, e.g. in packets, via the SMS CB channel, to the mobile terminal (T).
The general functioning of the system according to the invention can be illustrated by a very simplified example given below. First the interactive server (F=PI) detects a predetermined WAP home page of the WAP portal, updated for example by the subscriber's Internet access provider. Then the interactive server (F=PI) requests the PPG input server to broadcast (and/or update) the WAP page concerned using the CBC centre and via the SMS CB channel of the base station (B), for example in all the mobile terminals (T) of the UMTS wireless telephone network.
The input server (PPG) then communicates with the CBC centre transmitting to it a first time stamped broadcasting order (M1), and specifying for example the number of the first order, the number of the multimedia content version, the broadcast cell (14) number, the number of pages etc. The CBC centre transmits this first broadcasting order (M1) to the radio network controller RNC. The RNC processes the order then generates a second time stamped broadcasting order (M2) to be sent for example to all the cells concerned, this order reproducing part of the first broadcasting order e.g. the number of the first order, the number of the multimedia content version, the number of pages etc., but without keeping the cell number for example. This second order (M) is then transmitted to the base stations (B) which broadcast the predetermined data via their SMS CB channel to all the mobile terminals for example (T).
The mobile terminals (T) are pre programmed to listen to the messages, i.e. to receive and/or save them using mass memory means of each mobile terminal (T). Messages, e.g. of SMS type, forming the WAP page, are grouped together into a plurality of messages transmitted to a specific application, of modular architecture for example, arranged in each of the mobile terminals (T) of the UMTS wireless telephone network. For each terminal, this specific application carries out the following main tasks for example:
-   save the WAP page using mass memory means of the mobile terminal (T),
-   manage the direct access key (13) to the WAP portal to decide whether or not (for example according to the date of the last update of the saved page) to allow access to the memory or to allow navigation in the remote content,
-   if display of the saved page is decided, procedure for attachment of data (e.g. to the SGSN processing node) is initiated followed by opening of negotiation for quality of service using the   PDP   protocol for example (for Packet Data Protocol) and the setting up of a link between the network core (12) and its wireless part (B), with a view to setting up a two way connection at the interactive server, for example using the SGSN processing node,
-   during navigation in the first home page memorized by the mass memory means of the mobile terminal, access to a directly dependent page e.g. a second home page, is similarly first searched in the memory of the mobile terminal (T), and should this fail by a message sent to the server via the two way connection.
As already mentioned above, the access to these pre saved pages in the memory of the mobile terminal is impossible other than via the normal man machine interface (MMI) for connection to the WAP portal, in order to pay heed, when applicable, to acts of law on the broadcasting of unsolicited messages.
In terms of advantages, the system according to the invention gives subscribers the impression of near instant access to at least the first home page of the WAP portal, and even to the two arborescence levels of the WAP pages. This undeniably improves performance on launch of a WAP navigation, enabling the subscriber to have near instant access to at least part of the desired content, e.g. to numbers of emergency services (without having to wait for this information during the half minute or so needed for the WAP connection, as specified above).
Another advantage provided by the system of the invention is the radical reduction in the number of persons licensed to have access to the SGSN processing node. It is effectively no longer necessary to pre enter the subscribers to gain 5 seconds for example in the opening time of a WAP session.
Finally, the system of the invention is based on standard protocols thereby limiting specific developments, which in fine increases the reliability of the system of the invention making it more stable against computer bugs.
It will be evident for persons skilled in the art that the present invention allows embodiments in numerous other specific forms without departing from the scope of application of the invention as claimed. Therefore the present embodiments are to be considered illustrative, but can be modified within the area defined by the scope of the appended claims, and the invention is not to be limited to the details set forth above.
CLAIMS
1.  System for accelerating access to predetermined data consisting either of a multimedia content, or of access to a value added service, comprising at least one terminal of a wireless communication cell telephone network, called a mobile terminal (T), containing at least one essentially electronic item with microcircuit and memory (0) and at least one interactive interface (1) having at least one screen, at least one keypad, at least one key and/or at least one tactile area of the terminal screen, called a direct access key (13), giving direct access to the multimedia content and/or value added service, the mobile terminal (T) being able to communicate in a wireless telephone network identifiable by means of the network, with at least one interactive server providing the multimedia content and/or value added service, called an interactive server (F), the transmitting and receiving of data between the mobile terminal (T) and the interactive server (F) being conducted two way fashion from the mobile terminal (T) to the interactive server (F) and vice versa using at least one processing node (SGSN), characterized in that the wireless telephone network comprises a unidirectional broadcast centre (CBC) broadcasting predetermined data from the interactive server (F) to the mobile terminal (T) or a plurality of mobile terminals (T), via a unidirectional channel (SMS CB) common to all the mobile terminals (T), in that the predetermined data transmitted by the unidirectional broadcast centre (CBC) contain at least one identification characteristic identifiable by means of the mobile terminal (T), and in that the mobile terminal (T) comprises:
-   identification means to identify the predetermined data transmitted by the unidirectional broadcast centre (CBC) via the unidirectional channel (SMS CB) common to all the mobile terminals (T),
-   mass memory means to save the predetermined data identified by the identification means,
-   authorization means to read information representing the identification characteristic of the predetermined data saved by the mass memory means and, in relation to this information, to authorize or not authorize access by the direct access key (13) to at least part of these predetermined data
2.  System according to claim 1, characterized in that programming of the broadcasting of the predetermined data is managed in accordance with at least one broadcasting rule predefined by the unidirectional broadcast centre (CBC) or by the interactive server (F).
3.  System according to claim 2, characterized in that the predetermined data are periodically updated by the interactive server (F), and in that the unidirectional broadcast centre (CBC) broadcasts these updated predetermined data at the time interval predefined since the last update.
4.  System according to any of claims 1 to 3, characterized in that the unidirectional broadcast centre (CBC) manages a repeat broadcast of the identical predetermined data in accordance with at least one predefined repeat rule.
5.  System according to any of claims 1 to 4, characterized in that the predetermined data transmitted by the unidirectional broadcast centre (CBC), via the unidirectional channel (SMS CB) common to all the mobile terminals (T), are identifiable by the identification means of the mobile terminal (T) using one or more identification characteristics chosen from among the following parameters and/or the result of a function using these parameters: (a) broadcast timestamp of the predetermined data broadcast by the unidirectional broadcast centre (CBC); (b) content of the predetermined data transmitted by the unidirectional broadcast centre (CBC); (c) content version of the predetermined data transmitted by the unidirectional broadcast centre (CBC); (d) number of the cell (14) of the wireless telephone network; (e) identifier of the mobile terminal (T) in the wireless telephone network.
6.  System according to any of claims 1 to 5, characterized in that at least part of the identification characteristics of the predetermined data is transmitted separately, via the unidirectional channel (SMS CB) common to all the mobile terminals (T), by the unidirectional broadcast centre (CBC) prior to the broadcasting, via this same unidirectional channel (SMS CB), of the predetermined data.
7.  System according to any of claims 1 to 6, characterized in that the wireless telephone network comprises an input server (PPG) installed downstream of the interactive server (F) and upstream of the unidirectional broadcast centre (CBC) with respect to the direction of transmission of the predetermined data from the interactive server (F) to the mobile terminal (T), and in that the predetermined data broadcast by the unidirectional broadcast centre (CBC) are formed of a plurality of messages of predefined volume obtained during prior segmenting of the predetermined data of the Interactive server (F) by the input server (PPG) in accordance with at least one predefined segmenting rule.
8.  System according to claim 7, characterized in that the identification means of the mobile terminal (T) maintain permanently open a unidirectional connection session from the input server (PPG) to the mobile terminal (T), via the unidirectional channel (SMS CB) common to all the mobile terminals (T).
9.  System according to any of claims 1 to 8, characterized in that the mobile terminal (T) comprises management means to send a request to the wireless telephone network to set up a new two way connection from the mobile terminal (T) to the interactive server (F) using the processing node (SGSN), this request being sent simultaneously with display of predetermined data saved by the mass memory means of the mobile terminal (T) on the screen of the mobile terminal (T) by means of the direct access key (13) of the mobile terminal (T).
10. System according to any of claims 1 to 9, characterized in that the wireless telephone network and the mobile terminal are compatible with GSM technology and/or UMTS technology.
11. System according to any of claims 1 to 10, characterized in that the predetermined data contain at least one home page to a multimedia portal of WAP type, managed by the interactive server (F).
12. Method for accelerating access to predetermined data consisting either of a multimedia content, or of access to a value added service, implemented by the system according to claim 1,
characterized in that it comprises:
-   a communication step of the interactive server (F) with the wireless telephone network via at least one unidirectional broadcast centre (CBC) to broadcast, via a unidirectional channel (SMS CB) common to all the mobile terminals (T), the predetermined data of the interactive server (F) to the mobile terminal (T) or a plurality of mobile terminals (T), these predetermined data containing at least one identification characteristic identifiable by means of the mobile terminal (T),
-   an identification step by identification means of the mobile terminal (T) to identify the predetermined data transmitted by the unidirectional broadcast centre (CBC), via the unidirectional channel (SMS CB) common to all the mobile terminals (T),
-   a saving step by mass memory means of the mobile terminal (T) to save the predetermined data identified by the identification means of the mobile terminal (T),
-   an authorization step by authorization means of the mobile terminal (T) to read information representing the identification characteristic of the predetermined data saved by the mass memory means of the mobile terminal (T) and, in relation to this information, to authorize or not authorize, via the direct access key (13) the use of at least part of these predetermined data.
13. Method according to claim 12, characterized in that it comprises a step to program broadcasting of the predetermined data, managed by the unidirectional broadcast centre (CBC) or by the interactive server (F) in accordance with at least one predefined broadcasting rule.
14. Method according to claim 13, characterized in that it comprises:
-   a periodic update step of the predetermined data by the interactive server (F), and
-   a broadcasting step of these updated, predetermined data by the unidirectional broadcast centre (CBC) at the time interval predefined since the last broadcasting.
15. Method according to any of claims 12 to 14, characterized in that it comprises a broadcast repeat step by the unidirectional broadcast centre (CBC) of the identical predetermined data in accordance with at least one predefined repeat rule.
16. Method as in any of claims 12 to 15, characterized in that the broadcasting step of the predetermined data by the unidirectional broadcast centre (CBC) is preceded by a prior, separate broadcasting step by the unidirectional broadcast centre (CBC), via the unidirectional channel (SMS CB) common to all the mobile terminals (T), to broadcast at least part of the identification characteristics of the predetermined data.
17. Method according to any of claims 12 to 16, characterized in that the broadcasting step of the predetermined data by the unidirectional broadcast centre (CBC), via the unidirectional channel (SMS CB) common to all the mobile terminals (T), is preceded by a prior segmenting step of the predetermined data into a plurality of messages of predefined volume by an input server (PPG) installed downstream of the interactive server (F) and upstream of the unidirectional broadcast centre (CBC) with respect to the direction of transmission of the predetermined data from the interactive server (F) to the mobile terminal (T), this segmenting being conducted by the input server (PPG) in accordance with at least one predefined segmenting rule.
18. Method according to claim 17, characterized in that comprises a permanent opening step, by the identification means of the mobile terminal (T), of a unidirectional connection to the input server (PPG) from the mobile terminal (T), via the unidirectional channel (SMS CB) common to all the mobile terminals (T).
19. Method according to any of claims 12 to 18, characterized in that it comprises a step to send a request by management means of the mobile terminal (T) to the wireless telephone network, to set up a new two way connection from the mobile terminal (T) to the interactive server (F) using the processing node (SGSN) of the wireless telephone network, this request sending step being conducted simultaneously with a display step on the screen of the mobile terminal (T), of the predetermined data saved by the mass memory means of the mobile terminal (T), these two steps being triggered by actuation of the direct access key (13) on the mobile terminal (T).
20. Method according to any of claims 12 to 19, characterized in that the wireless telephone network through which the predetermined data of the interactive server (F) are transmitted, and the mobile terminal (T) receiving these data, are compatible with GSM technology and/or UMTS technology.
21. Method according to any of claims 12 to 20, characterized in that the predetermined data comprise at least one home page to a multimedia portal of WAP type, managed by the interactive server (F).
ABSTRACT
System for accelerating access to predetermined data consisting either of a multimedia content or of access to a value added service, comprising a wireless telephone communications terminal, called a mobile terminal, containing an essentially electronic item with microcircuit and memory and an interactive interface having a screen, keypad, a key called a direct access key giving direct access to the content, the mobile terminal being able to communicate, in a wireless telephone network identifiable by means of the network, with an interactive server providing the content, called an interactive server, the transmitting and receiving of data between the mobile terminal and the interactive server being conducted two way fashion from the mobile terminal to the interactive server and vice versa, characterized in that the wireless telephone network includes a unidirectional broadcasting centre of predetermined data from the interactive server to the mobile terminal, the predetermined data transmitted by the broadcasting centre contain an identification characteristic identifiable by means of the mobile terminal, and the mobile terminal comprises:
-   identification means to identify the predetermined data transmitted by the broadcast centre,
-   mass memory means to save the predetermined data identified by the identification means,
-   authorization means to read information representing the identification characteristic of the predetermined data saved by the mass memory means and, in relation to this information, to authorize or not authorize access by the direct access key to these data.
Figure for abstract: None
【図１】
2007300629.tif 000005
【図２】
2007300629.tif 000006